(57)【要約】本願は、例えば、音波を伝播することができる流体で歯周ポケットを満たすステップと、歯周ポケット内に音波を伝達するステップと、歯周ポケットからの返還音波を感知するステップと、少なくとも１つの伝達音波が歯周ポケットを横切って戻ってくるのにかかる時間を測定することによって前記ポケットの深さを決定するステップと、を含む、歯周病を検出および測定するシステムおよび方法を提供します。また、本願は、ピーク判別分析アルゴリズムも提供します。
2008534167.tif 000002
【特許請求の範囲】
【請求項１】
歯周病に関係する歯周組織破壊を検出および測定するシステムであって、
超音波振動子および音響レンズを有するハンドピースと、
判別分析ソフトウェアを有する制御器ユニットであって、該判別分析ソフトウェアはウェーブレットアルゴリズムを備える、制御器ユニットと、
流体供給源と
を備える、システム。
【請求項２】
前記流体供給源は流体容器を備える、請求項１に記載のシステム。
【請求項３】
前記システムは歯周ポケットの深さを測定するように構成された、請求項１に記載のシステム。
【請求項４】
入力装置をさらに備える、請求項１に記載のシステム。
【請求項５】
前記入力装置はタッチスクリーン、キーボード、またはマウスを備える、請求項４に記載のシステム。
【請求項６】
歯の画像を表示しかつ該歯の画像と組み合わせて歯周測定を図解することができる、表示部をさらに備える、請求項１に記載のシステム。
【請求項７】
ソフトウェアをさらに備え、該ソフトウェアは前記ハンドピースからのアナログ信号をデジタルデータに変換する、請求項１に記載のシステム。
【請求項８】
歯の画像を作成するためのソフトウェアをさらに備える、請求項７に記載のシステム。
【請求項９】
前記ソフトウェアは、歯周の特徴と関連するピークを識別するように構成された判別分析アルゴリズムを含む、請求項１に記載のシステム。
【請求項１０】
前記システムは、歯のセメント質‐エナメル質接合部と歯周ポケットの底との間の距離を測定するよう構成された、請求項１に記載のシステム。
【請求項１１】
前記システムは、歯の歯肉線と歯周ポケットの底との間の距離を測定するよう構成された、請求項１に記載のシステム。
【請求項１２】
前記システムは、約０．１ｍｍから約０．５ｍｍの間の精度で前記歯周ポケットの前記距離を測定するように構成された、請求項１０に記載のシステム。
【請求項１３】
前記ハンドピースは、約０．２ｍｍの精度で前記距離を測定するように構成された、請求項１２に記載のシステム。
【請求項１４】
前記ハンドピースは、約０．１ｍｍの精度で前記距離を測定するように構成された、請求項１３に記載のシステム。
【請求項１５】
前記システムは歯石を検出するように構成された、請求項１に記載のシステム。
【請求項１６】
前記流体供給源は、抗菌剤、殺菌剤、または両方を含む、請求項１に記載のシステム。
【請求項１７】
前記超音波振動子、前記流体供給源、または両方を作動させるための制動機をさらに備える、請求項１に記載のシステム。
【請求項１８】
前記制動機は少なくとも１つのフットペダル、または音声起動ソフトウェアを備える、請求項１７に記載のシステム。
【請求項１９】
前記システムはインターネットに接続される、請求項１に記載のシステム。
【請求項２０】
前記接続は有線または無線で達成される、請求項１９に記載のシステム。
【請求項２１】
歯周測定は１人の操作者で行うことができる、請求項１に記載のシステム。
【請求項２２】
前記システムは電子医療記録に歯周測定値を格納する、請求項１に記載のシステム。
【請求項２３】
前記電子医療記録は暗号化され、かつＨＩＰＡＡに準拠する、請求項２２に記載のシステム。
【請求項２４】
企業ポータルソフトウェアをさらに備える、請求項１９に記載のシステム。
【請求項２５】
前記システムはインターネットを介してアップグレードされるように構成された、請求項２４に記載のシステム。
【請求項２６】
音声発振器をさらに備え、該音声発振器は試験成功を知らせるための１つの音、および試験不成功を知らせるための第二の音を発生する、請求項２５に記載のシステム。
【請求項２７】
前記ハンドピースは使い捨てカバーを備える、請求項１に記載のシステム。
【請求項２８】
前記使い捨てカバーは一意の識別特徴を備える、請求項１に記載のシステム。
【請求項２９】
前記使い捨てカバーは該使い捨てカバーの再利用を防ぐ安全機能を備える、請求項１に記載のシステム。
【請求項３０】
歯周病に関係する歯周組織破壊を検出および測定するハンドピースであって、
第一端に空洞および調整スロットを有する永久ハンドルと、
該永久ハンドルの該第一端内の該空洞に位置する超音波振動子と、
流体供給源と、
使い捨てカバーとを備え、該使い捨てカバーは、該使い捨てカバーの内側に突起部を有し、該突起部は、該調整スロット内に収まるように構成された、ハンドピース。
【請求項３１】
前記永久ハンドルは、中心部に第一円周スロットをさらに備える、請求項３０に記載のハンドピース。
【請求項３２】
前記永久ハンドルの前記第一円周スロットに位置するつる巻きバネをさらに備える、請求項３１に記載のハンドピース。
【請求項３３】
前記使い捨てカバーは、前記つる巻きバネをスナップ式はめ合いに係合するように構成された円周スロットを備える、請求項３２に記載のハンドピース。
【請求項３４】
前記永久ハンドルは、中心部に第二円周スロットをさらに備える、請求項３３に記載のハンドピース。
【請求項３５】
前記第二円周スロットに位置するＯリングをさらに備え、該Ｏリングは密封を形成するように構成された、請求項３４に記載のハンドピース。
【請求項３６】
前記使い捨てカバーは、前記超音波振動子によって生成された超音波が放出されるプローブを備える、請求項３０に記載のハンドピース。
【請求項３７】
前記使い捨てカバーは、歯の間の歯間隙にぴったりとはまるような大きさであるプローブ先端を備える、請求項３０に記載のハンドピース。
【請求項３８】
前記使い捨てカバーは、約１０ｍｍの長さを有するプローブ先端を備える、請求項３０に記載のハンドピース。
【請求項３９】
約１３．２５ｍｍの焦点距離を有する振動子をさらに備える、請求項３８に記載のハンドピース。
【請求項４０】
音響レンズをさらに備える、請求項３０に記載のハンドピース。
【請求項４１】
前記ハンドピースは使い捨てカバーを備える、請求項３０に記載のシステム。
【請求項４２】
前記使い捨てカバーは一意の識別特徴を備える、請求項３０に記載のシステム。
【請求項４３】
前記使い捨てカバーは該使い捨てカバーの再利用を防ぐ安全機能を備える、請求項３０に記載のシステム。
【請求項４４】
連続湾曲ハンドルと、
超音波振動子と、
流体供給源と
を備える、歯周病を検出および測定するハンドピース。
【請求項４５】
前記ハンドピースは、歯のセメント質‐エナメル質接合部と歯周ポケットの底との間の差違深度を測定するように構成された、請求項４４に記載のハンドピース。
【請求項４６】
前記ハンドピースは、歯の歯肉線と歯周ポケットの底との間の差違深度を測定するように構成された、請求項４４に記載のハンドピース。
【請求項４７】
前記ハンドピースは、約０．１から約０．５ｍｍの間の精度で歯周ポケットの差違深度を測定するように構成された、請求項４４に記載のハンドピース。
【請求項４８】
前記ハンドピースは、約０．２ｍｍの精度で深さを測定するように構成された、請求項４７に記載のハンドピース。
【請求項４９】
前記ハンドピースは、約０．１ｍｍの精度で深さを測定するように構成された、請求項４７に記載のハンドピース。
【請求項５０】
使い捨てカバーをさらに備える、請求項４４に記載のシステム。
【請求項５１】
前記流体供給源は、抗菌剤、殺菌剤、または両方を含む、請求項４４に記載のハンドピース。
【請求項５２】
前記振動子は、５から１５ＭＨｚの間の周波数で動作する、請求項４４に記載のハンドピース。
【請求項５３】
前記振動子は１０ＭＨｚの周波数で動作する、請求項５２に記載のハンドピース。
【請求項５４】
音響レンズをさらに備える、請求項４４に記載のハンドピース。
【請求項５５】
取り外し可能カバーをさらに備える、請求項４４に記載のハンドピース。
【請求項５６】
前記ハンドピースは、流体の流れまた液滴を供給するように構成された、請求項４４に記載のハンドピース。
【請求項５７】
歯周病に関係する歯周組織破壊を検出および測定する方法であって、
音波を伝播することができる流体で歯周ポケットを満たすことと、
該歯周ポケット内に少なくとも１つの音波を伝達することと、
該歯周ポケットからの少なくとも１つの返還音波を感知することと、
該少なくとも１つの伝達音波が該歯周ポケットを横切って戻ってくるのにかかる時間を測定することによって、該ポケットの深さを決定することと
を含む、方法。
【請求項５８】
前記ポケットの深さを歯周データとして格納することをさらに含む、請求項５７に記載の方法。
【請求項５９】
ポケットの深さを格納された歯周データに対して比較することをさらに含む、請求項５８に記載の方法。
【請求項６０】
前記歯周データは電子医療記録に格納される、請求項５７に記載の方法。
【請求項６１】
患者の歯の三次元画像を生成することをさらに含む、請求項５７に記載の方法。
【請求項６２】
遠隔表示部にデータを送信することをさらに含む、請求項５７に記載の方法。
【請求項６３】
遠隔部に前記歯周データを格納することをさらに含む、請求項５７に記載の方法。
【請求項６４】
前記格納された歯周データはインターネットを介してアクセスされる、請求項６３に記載の方法。
【請求項６５】
セメント質‐エナメル質接合部の位置を決定することを含む、請求項５７に記載の方法。
【請求項６６】
前記流体に抗菌剤、殺菌剤、または両方を含めることをさらに含む、請求項５７に記載のシステム。
【請求項６７】
歯の間の歯間隙に少なくとも１つの音波を伝達することをさらに含む、請求項５７に記載の方法。
【請求項６８】
歯の間の骨の反射鏡の悪化を決定することをさらに含む、請求項６７に記載の方法。
【請求項６９】
歯のデジタル生成された画像上に歯周測定値をデジタルオーバーレイすることを含む、請求項５７に記載の方法。
【請求項７０】
歯周の特徴を識別するために、判別分析ソフトウェアを使用することをさらに含む、請求項５７に記載の方法。
【請求項７１】
前記判別分析ソフトウェアはウェーブレットアルゴリズムを備える、請求項７０に記載の方法。
【請求項７２】
歯の歯石を識別することをさらに含む、請求項７１に記載の方法。
【請求項７３】
治療の有効性を評価するために、歯石治療の後に患者を再検査することをさらに含む、請求項７３に記載の方法。
【請求項７４】
前記流体に医薬品を追加することをさらに含む、請求項５７に記載の方法。
【請求項７５】
治療の経過の進展を監視することをさらに含む、請求項６３に記載の方法。
【請求項７６】
前記システムを較正することをさらに備える、請求項５７に記載のシステム。
【請求項７７】
前記較正することは、ソフトウェアを試験すること、ハンドピースを較正すること、振動子を試験すること、音響レンズを試験すること、またはそれらのあらゆる組み合わせを含む、請求項７６に記載の方法。
【請求項７８】
前記較正は、既知の空洞についての深さを測定することを含む、請求項７６に記載の方法。
【請求項７９】
相談のために少なくとも１人の歯周専門家に前記電子医療記録を転送することをさらに含む、請求項６０に記載の方法。
【請求項８０】
前記歯周専門家の勧告は、第三者または治療している医療従事者に送信される、請求項７９に記載の方法。
【請求項８１】
歯科医師または歯科衛生士を監視することをさらに含む、請求項６３に記載の方法。
【請求項８２】
歯科医師の治療を受けているが、歯周治療専門医によって治療されるべきである患者を識別することをさらに含む、請求項６３に記載の方法。
【請求項８３】
前記判別分析ソフトウェアはインターネットからのダウンロードを介してアップグレードされる、請求項７０に記載の方法。
【請求項８４】
前記電子医療記録を患者に見せることをさらに含む、請求項６３に記載の方法。
【請求項８５】
前記流体は層流を有する、請求項５７に記載の方法。
【請求項８６】
レイノルズ数は約１，０００より小さい、請求項８５に記載の方法。
【請求項８７】
体積流量は約１０から約１５ｍＬ／分の間である、請求項８５に記載の方法。
【請求項８８】
前記ポケットの深さの小さい変化が識別される、請求項５７に記載の方法。
【請求項８９】
前記小さい変化は、改善している、悪化している、または未変化であるポケットの状態を反映する着色された傾向線で図解される、請求項８８に記載の方法。
【請求項９０】
前記小さい変化は、約０．２から約０．５ｍｍのポケットの深さの変化を含む、請求項８８に記載の方法。
【請求項９１】
前記小さい変化は、約０．１から約０．２ｍｍのポケットの深さの変化を含む、請求項９０に記載の方法。
【請求項９２】
前記方法は、気泡の洗浄を容易にするように設計された流体経路を有するハンドピースで実施される、請求項５７に記載の方法。
【請求項９３】
歯の顔面側に少なくとも１つの音波、および歯の舌側に少なくとも１つの音波を伝達することをさらに備える、請求項５７に記載の方法。
【請求項９４】
歯の顔面側と舌側の両方において少なくとも３つの音波を伝達することをさらに含む、請求項９３に記載の方法。
【請求項９５】
歯の顔面側と舌側の両方において少なくとも１２個の音波を伝達することをさらに含む、請求項９４に記載の方法。
【請求項９６】
歯科医師または歯科衛生士に少なくとも１つの超音波歯周システムを提供することと、患者の受診ごとに該歯科医師または歯科衛生士に課金することとを含む、歯周検査を実施する方法。
【請求項９７】
前記超音波歯周システムは企業ポータルソフトウェアでインターネットに接続される、請求項９６に記載のシステム。
【請求項９８】
前記超音波歯周システムはデータのバックアップのために第三者に接続される、請求項９７に記載のシステム。
【請求項９９】
相談のために少なくとも１人の歯周専門家に医療記録を転送することをさらに含む、請求項９７に記載の方法。
【請求項１００】
前記歯周専門家の勧告は、第三者または治療している医療従事者に送信される、請求項９９に記載の方法。
【請求項１０１】
歯科医師または歯科衛生士を監視することをさらに含む、請求項９７に記載の方法。
【請求項１０２】
歯周治療専門医によって治療されるべきである、歯科医師に治療されている患者を識別することをさらに含む、請求項９７に記載の方法。
【請求項１０３】
前記超音波歯周システムはインターネットからのダウンロードを介してアップグレードすることができる、請求項９７に記載の方法。
【請求項１０４】
超音波エコーを分析する判別分析アルゴリズムであって、
波形を処理することと、
ピークを検出することと、
ピークを判別することとを含み、連続ウェーブレット変換を使用する、判別分析アルゴリズム。
【請求項１０５】
前記連続ウェーブレット変換は、メキシカンハットウェーブレットまたはＭｏｒｌｅｔウェーブレットを含む、請求項１０４に記載の方法。
【請求項１０６】
前記ウェーブレットは虚数成分を有しない、請求項１０５に記載の方法。
【請求項１０７】
ウェーブレットのヒルベルト変換を使用することをさらに含む、請求項１０４に記載の方法。
【請求項１０８】
直流成分およびナイキスト周波数成分をゼロに設定することをさらに含む、請求項１０４に記載の方法。
【発明の詳細な説明】
【技術分野】
【０００１】
本発明は、概して歯周医療の分野、具体的には歯周医療および一般歯科に対する超音波技術の適用を対象とする。
【背景技術】
【０００２】
歯周病は口の重篤な感染であり、未治療のままだと歯を失うことに至る可能性があり、心臓発作、脳卒中、糖尿病、呼吸器系疾患、未熟／低体重児、および死にまで関連しており、それらの一因となることが疑われている。
【０００３】
歯周病は１つのまたは多くの歯に影響を及ぼす可能性がある。それは、歯垢（全ての人の歯に常に生じる粘着性のある無色の膜）内の細菌によって歯肉が感染して炎症を起こすと始まる。
【０００４】
前記疾患の最も軽症例である歯肉炎においては、歯肉が赤くなり、腫れて出血しやすい。通常、不快症状はほとんどないか、全くない。歯肉炎はしばしば、不十分な口腔衛生、特に歯間掃除の不足によって引き起こされる。歯肉炎は専門治療および家庭での適切な口腔ケアで改善することが可能である。
【０００５】
未治療の歯肉炎は歯周炎へと進行する可能性がある。経時的に、歯垢は歯石へと固化し、歯肉線の下方で拡大および増大し、その歯肉線の下方は細菌の繁殖場所となる可能性がある。歯垢内の細菌によって産生される毒素は、歯肉および周辺組織を刺激し炎症を起こしつづける。感染がより重度になると、前記毒素は、本質的に体が自然に反応する慢性炎症反応を促進し、歯を支持する組織（靭帯）および骨が崩壊および破壊される。
【０００６】
歯周軟組織（歯茎または歯肉および歯周靭帯）は歯から分離し、感染を起こす歯周ポケット（歯と歯周組織との間の空隙）を形成する。前記疾患が進行すると、ますます破壊性毒素が産生され、結果として、前記歯周ポケットが深くなってさらに歯周組織および骨が崩壊および破壊される。初期にはこの破壊過程は無症候性となる場合がある。最終的には、歯がゆるくなって失われる場合があるか、または抜かなければならない。ヒトの口の中では、単独または組み合わせのいずれかで、３００以上の異なる種類の細菌が存在する可能性がある。有効な治療計画が開発されるまで歯周治療専門医が様々な抗生物質および治療法を試すため、歯周病は困難で、時間がかかり、費用のかかるものとなる。その他の重篤な感染症と同様に、適切な種類および量の抗生物質で早急に治療されないと、歯周炎は結果として他の多くの重篤な疾患に至り、致命的にさえなり得る重度の全身感染症になる可能性がある。患者の免疫機構がこの慢性でかつおそらく重篤である感染と戦うと、心臓病、脳卒中、および糖尿病などのその他の重篤な疾患が発症する可能性が生じる。
【０００７】
歯周ポケットを検出および測定するために歯科医師および歯科衛生士によって利用される現在の手順は、歯と歯肉との間に挿入され、靭帯の抵抗に遭遇するまで手動で下に押される鋭い金属プローブから成る基本的手段であるそれによって靭帯の深さが測定され、存在するかもしれない歯周病の量の指標となり得る臨床的付着損失（靭帯の損失）の量を示す。この方法はしばしば患者にとって苦痛であり、かつ侵襲性、出血性、不正確および主観的である。各測定で同じ量の力を加えることが困難なために特に不正確および主観的であり、結果として測定における高い検査者内および検査者間変動が生じる。検査者は歯肉線の下方に存在する組織の種類、および前記プローブがこの組織に触れているか、または貫通しているかが分からないため、この困難が増加する。また、歯科医療従事者による患者の血液への暴露は、肝炎、ＨＩＶ、およびその他の感染性疾患への暴露の危険性を増加させる。
【０００８】
さらに、現在の手順は、レトロスペクティブ分析であり、かなりの量のすでに失われた組織を測定できるのみなので、その最初期段階で歯周病を診断するための手段としてその有効性において限定される。また、この方法は典型的に、実際に測定を行う検査者および測定を通常手書きする筆記者という、この検査を実施するために２人を必要とする。前記検査者は通常、歯科医師、歯科衛生士、または歯周治療専門医などの歯科衛生従事者である。前記筆記者もまた歯科衛生従事者でもよいが、事務助手などより技能の低い個人でもよい。歯科医師に直面するもう１つの問題は、情報の全てが通常何年にも及ぶ多数の紙（つまりアナログ）記録に含まれているため、患者の症状の長期的傾向を決定することが困難であるということである。結果として、通常最近の１つまたは２つの記録のみが現在の検査結果との比較のために再検討され、これらは患者の歯周状態の非常に漸進的な悪化を正確に反映するのに十分ではない場合がある。
【０００９】
既存の手動プローブ手順の付加的な問題は、それが典型的に治癒過程にたいして破壊性となり得ることである。試行錯誤手法は新たに治癒した組織を引き裂く可能性があり、回復を数週間または数か月間延長させる可能性がある。さらに、細菌を傷または患者の血流内に許容する可能性があり、それが感染症（つまり菌血症）に至る可能性がある。実際に、ヒトの口の中では、単独または組み合わせのいずれかで、３００以上の異なる種類の細菌が存在する可能性がある。有効な治療計画が開発されるまで歯周治療専門医が様々な抗生物質および治療法を試すため、歯周病はより困難で、時間がかかり、費用のかかるものとなる。
【００１０】
図１は、左の健康な歯１００および歯周病を有する右の歯１０６を比較する概略図である。前記健康歯１００には、完全で健康な骨レベル１０４、健康な歯周靭帯１０３、および健康な歯茎／歯肉１０２がある。前記罹患歯１０６は、結果として歯周ポケット１１２の形成となる、歯茎／歯肉の損失１１６、歯周靭帯付着（臨床的付着損失）１１５および歯槽骨レベル１１４の吸収を示す。前記罹患歯１０６はまた、歯垢１０８および歯石１１０の集積も示す。歯周状態が診断および修正されないと、前記罹患歯１０６は失われる場合があるか、または抜かなければならない。
【００１１】
図２は、図１に図示される前記歯１００、１０６のより詳細な概略図である。前記歯１００、１０６はエナメル質部分１１８および根部分１２０を有する。前記根部分１２０は、前記歯周靭帯１２６によって前記歯肉１２２に接続される。前記歯肉１２２の最上部は前記歯肉線１２４として知られる。図２に図示されるとおり、前記歯肉線１２４は後退している。場合によっては、前記歯肉１２２が刺激される場合があり、結果として浮腫によって隆起する前記歯肉線１２４が生じる。
【００１２】
前記歯周靭帯１２６の最上部には、前記歯周靭帯１２６の上方境界１３０がある。前記歯周靭帯１２６の前記上方境界１３０と前記エナメル質部分１１８との間には、接合部上皮１２８がある。健康な歯１００において、前記歯周靭帯１２６の前記上方境界１３０、前記接合部上皮１２８の底、および前記エナメル質部分１２０がセメント質―エナメル質接合部１３２において接触する。罹患した歯１０６において、歯石１１０および多形核白血球１３８は前記接合点上皮１２８および前記歯周靭帯１２６の中に広がり、歯周ポケット１１２を開ける。前記歯周ポケット１１２が前記歯肉線１２４と前記セメント質―エナメル質接合点１３２にあると、患者には歯肉炎として知られる症状がある。前記歯周ポケット１１２が前記セメント質―エナメル質接合点１３２の下方に伸びると、患者には歯周炎として知られる症状がある。また、前記歯周ポケット１１２の増大は不規則となり、結果として中間特徴１３６を生じる場合がある。
【００１３】
しばしば、ポケットの深さの事前測定が前記歯肉線１２４に対して行われた。しかしながら、上述のとおりに、前記歯肉線１２４は後退または浮腫によって変化する場合がある。よって、ポケットの深さを測定する際の前記歯肉線（または歯肉の自由縁）１２４の利用は、ポケットの深さの不正確かつ大いに変化する大きさに至る場合がある。前記歯肉線１２４と対照的に、前記セメント質―エナメル質接合部１３２は不変のままである。よって、ポケットの深さを測定する際の前記セメント質―エナメル質接合点１３２は、経時的な測定のより良くより一貫した方法を提供し、好ましい。手動プロービングもまた、歯肉線の下方に歯石が存在しているのかどうか、およびどの歯においてかつ正確にはどこであるかを決定するために使用される。この方法は不正確となり得る。
【００１４】
よって、参照として、前記歯肉線および前記セメント質―エナメル質接合部１３２の両方を使用することができる歯周付着損失を測定する無痛、非侵襲性、正確、および再現性のある方法を有することが望ましいであろう。歯肉線の下方に歯石が存在しているのかどうか、およびどの歯においてかつ正確にはどこであるかを決定するための正確な方法を有することも望ましいであろう。
【発明の開示】
【課題を解決するための手段】
【００１５】
本発明は、歯周病の指標である付着損失を検出および測定するためのシステムに関する。本発明は、歯肉線および歯のセメント質―エナメル質接合部の両方と歯周ポケットの底との間の差違深度を測定するための超音波技術を組み込む。歯と歯肉との間に鋭い金属プローブを挿入する必要のある従来の方法と対照的に、本発明は非侵襲性、無痛、無血、正確、迅速、客観的かつデジタル式のシステムおよび方法を提供する。  
【００１６】
本発明は、超音波振動子および音響レンズを有するハンドピースと、判別分析ソフトウェアであって、ウェーブレットアルゴリズムを備える判別ソフトウェアを有する制御器ユニットと、補充流体と、を備える、歯周病に関係する歯周組織破壊を検出し測定するためのシステムを提供する。
【００１７】
本発明はまた、第一端に空洞および調整スロットを有する永久ハンドルと、前記永久ハンドルの前記第一端内の前記空洞に位置する超音波振動子と、補充流体と、使い捨てカバーとを備え、前記使い捨てカバーは、前記使い捨てカバーの内側に突起部を有し、前記突起部は、前記調整スロット内に収まるように構成される、歯周病に関係する歯周組織破壊を検出し測定するためのハンドピースも提供する。
【００１８】
本発明はまた、連続湾曲ハンドルと、超音波振動子と、補充流体と、を備える、歯周病を検出および測定するためのハンドピースも提供する。
【００１９】
本発明はまた、音波を伝播することができる流体で歯周ポケットを満たすステップと、歯周ポケット内に少なくとも１つの音波を伝達するステップと、歯周ポケットからの少なくとも１つの返還音波を感知するステップと、前記少なくとも１つの伝達音波が歯周ポケットを横切って戻ってくるのにかかる時間を測定することによって前記ポケットの深さを決定するステップと、を含む、歯周病を検出および測定する方法も提供する。
【００２０】
本発明はまた、歯科医師または歯科衛生士に少なくとも１つの超音波歯周システムを提供するステップと、患者の受診ごとに前記歯科医師または歯科衛生士に課金するステップと、を含む、歯周検査を実施するための方法も提供する。
【００２１】
本発明はまた、波形を処理するステップと、ピークを検出するステップと、ピークを判別するステップとを含み、前記判別分析アルゴリズムは連続ウェーブレット変換を使用する、超音波エコーを分析するための判別分析アルゴリズムも提供する。
【発明を実施するための最良の形態】
【００２２】
歯周付着損失を検出および測定する従来の方法と対照的に、本発明による前記システムおよび方法は超音波技術を組み込む。前記システムおよび方法は、歯周病に関係する付着損失を診断、検出および評価し、デジタル歯科記録を作成し、一連の測定を介して治療を監視するための、無痛、非侵襲性、無血、極めて正確、客観的、自動、迅速、デジタル式かつ費用のかからない方法を歯科医師およびその患者に提供する。前記システムはアナログ測定を取り、アナログ超音波測定値をデジタルデータに変換し、歯周ポケットの深さ（好ましくは、歯肉線およびセメント質―エナメル質接合点の両方から歯周靭帯の上方境界までの距離）を算出する。本発明による前記方法によって、治療が容易で費用がかからず、体の免疫機構が弱くなり他の疾患の影響を受けやすい時であるその最初期段階で歯科医師は歯周病を検出することができる。また歯科医師は、清浄の前後に歯肉線の下方の歯表面に存在する歯石（つまり固化した歯垢）の存在についての定性的情報を提供することによって、患者の歯をより容易かつ効果的に清浄することもできる。また、前記方法は、検査者内および検査者間変動が本質的に排除されているため、本質的に検査者非依存性である。
【００２３】
歯周病を診断する従来技術の方法と対照的に、本発明の前記歯周システムによって、歯科医は患者の現在の検査をデジタルオーバーレイし、それを患者の電子医療記録に含まれる以前の検査のうちいくつか、多く、または全てと容易にかつ直ちに比較することができる。本発明の前記歯周システムの付加的な利点には、その試験は１人だけで実施することができ（２人と比較して）、典型的に完了するのに約４分しかかからない（約１０分と比較して）ことが含まれる。
【００２４】
本発明の１つの好ましい実施例は図３に図示される。本実施例において、前記歯周システム２００はハンドピース２０２および表示部／制御器ユニット２０４を含む（図４）。前記表示部／制御器ユニット２０４は、信号を制御、収集、および処理するための回路基板（図示せず）およびソフトウェア、データ格納部（図示せず）、信号結合器としてしようされる液体を保持するための液体容器２３６、少なくとも１つの液体流量接続部２４０、電気的接続部２３８、およびソフトウェアおよびデータ格納部を含む。前記表示部／制御器ユニット２０４は好ましくは小型であるが、大型タッチスクリーン２０５を含む。前記表示部／制御器ユニット２０４は独自の液体容器２３６を含むため、補充水のない場所で使用することができる。また、前記液体容器２３６は、図に図示されるとおりに前記表示部／制御器ユニット２０４の側面に位置する必要はない。例えば、表示部／制御器ユニット２０４の底面か背面に位置してもよい。さらに、本開示の目的上、「液体」という言葉はゲルを含む。
【００２５】
前記ソフトウェアは高度判別分析アルゴリズムを含む。任意で、それは診断医学画像能力も含むことができる。前記歯周システム２００は、前記歯肉線１２４の下方であり、かつ前記セメント質―エナメル質接合部１３２からの歯周靭帯１２６の前記上方境界１３０（つまり各歯の歯周ポケット１１２の深さ）を検出、定量化、および輪郭を描くと同時に、前記歯肉線１２４の上方または下方の歯石または歯垢１１０、１０８の有無に関する質的な情報も提供するために、超音波信号（つまりソナー波）を使用する。前記歯周システム２００はアナログ超音波信号をデジタル信号に変換し、各歯１０６の前記ポケットの深さ１１２およびその経時的な変動をデジタル格納する。これは診断において、かつ歯周病の程度および重症度および治療計画の有効性の指標として歯科医を大いに補助する。好ましくは、検査全体は完全にコンピュータ化され、全患者情報は検査を実施する個人によってデジタル記録することができる。好ましくは、歯科医は各歯についての必須データを一度入力し（欠けている歯またはブリッジの位置など）、それは以後の全ての画面上に表示される。
【００２６】
（アルゴリズム）
前記歯周システム２００の前記判別分析アルゴリズムは、変換アルゴリズムを使用して前記振動子から受け取る超音波波形をポケットの深さの示度数に変換する。このアルゴリズムは、電気通信においてよく使用されている信号処理技術を使用し、低レベル信号を検出してそれらを背景雑音から分離する。
【００２７】
前記アルゴリズムは、波形処理、ピーク検出、およびピーク判別という３つのステップにおいて実施される。
【００２８】
（ウェーブレット変換）
一実施例において、連続ウェーブレット変換（ＣＷＴ）をメキシカンハットウェーブレットを使用して未加工信号に対し行い、Ψｓ（ｘ）は、
Ψ（ｘ）＝２πｗ−１／２［ｌ−２π（ｘ／ｗ）２］ｅ−π（ｘ／ｗ）＾２
および
Ψｓ（ｘ）＝ｓ−１／２Ψｓ（ｘ／ｓ）
であり、
・ｗは本発明の一側面において１．２に設定されるウェーブレットの幅であり、
・ｓは、３．５、４．２１、５．２６、６．５８、および７．８９という値に設定されるウェーブレットの階級である。  
ウェーブレットの階級の幅は、１０ＭＨｚ振動子の周波数範囲を標的とするよう選ばれた。関数ｆの波形変換は下記に等しい。
【００２９】
【化１】
2008534167.tif 000003
（ウェーブレット選択）
ウェーブレットにおける１．５のみの「発振」で、Ｍｏｒｌｅｔウェーブレット（図３７）などのより発振を含むウェーブレットよりも良い時間分解能を提供するため、メキシカンハットウェーブレット（図３６参照）が選ばれた。トレードオフは周波数分解能の低下である。本発明の本実施例にとって、時間分解能は典型的に周波数よりも重要であり、その範囲は振動子クリスタルの固有周波数によって固定される。
【００３０】
ＣＷＴにおいて使用される多くの他のウェーブレットと異なり、メキシカンハットウェーブレットは虚数成分を有しない。よって、未加工信号に存在する異相周波数を決定するために、ウェーブレット変換はまた、メキシカンハットウェーブレットのヒルベルト変換によっても実施される。
【００３１】
時間基準信号に対しヒルベルト変換を行うと、信号がπ／２位相シフトする。信号ｇ（ｔ）と仮定して、この信号のヒルベルト変換は下記のように定義される。
【００３２】
【化２】
2008534167.tif 000004
この定義を書くためのもう１つの方法は、ヒルベルト変換が信号ｇ（ｔ）との関数１／πｔの畳み込みでもあると認識することである。２つの関数の畳み込みは、２つの関数のフーリエ変換の成果の逆フーリエ変換である。
【００３３】
よって上記方程式を下記のように書くことができる。
【００３４】
【化３】
2008534167.tif 000005
１／πｔのフーリエ変換は、
【００３５】
【化４】
2008534167.tif 000006
であり、
【００３６】
【化５】
2008534167.tif 000007
よって、メキシカンハットウェーブレットのヒルベルト変換を算出するために、まずウェーブレットのフーリエ変換を算出する。第二に、直流成分およびナイキスト周波数成分をゼロに設定する。そして正の調和を−ｊで掛け、負の調和を＋ｊで掛ける。最後に結果に対して逆フーリエ関数を実行し、メキシカンハット波形のヒルベルト変換を得る（図３６参照）。
【００３７】
ランタイムにおける処理速度を増加させるために、ウェーブレット係数および変換済みウェーブレット係数が算出され、好ましくは定数としてアルゴリズムに符号化する。  
【００３８】
（階級選択）
ウェーブレット階級と信号周波数との間の関係を決定するために、既知の周波数を有する正弦波を分析して最高ウェーブレット振幅を生成した階級を決定した。最適階級は周波数と反比例する（図３８）。  
前記振動子の固有周波数帯内の階級の範囲を選択肢、対応する階級を決定した（表１参照）。
【００３９】
【表１】
2008534167.tif 000008
前記歯周システム２００（図３）は、存在を効果的に検出し、割り付け、特徴付け、評価するためのデジタル画像および診断ツール、および歯周病の治療を監視するステップを含むことができる。好ましくはそれは、細菌を寄生させ、前記歯肉線１２４の下方の歯の表面に存在する歯の衛生状態を妨げる歯石（つまり固化した歯垢）１１０（図２）についての重要で有用な情報も提供する。
【００４０】
使用の際、前記ハンドピース２０２（図９）は、歯周組織と前記歯１００、１０６との間で歯肉上に一定して滴る、または静かに流れる水を向ける。一実施例において、それから歯科医師はフットペダルの３つのボタンのうち１つを使用して信号の各バーストを作動させる。これによって、歯科医師は各歯の顔側および舌側で３つの標準プローブを実施することができる。１つのボタンは次の位置へと前進させ、１つのボタンは信号を作動させ、必要ならば１つのボタンによって歯科医師は元に戻って最後の部分を検査することができる。歯科医師は、信号が適切に得られなかった場合に可聴音で、または信号が適切に受信されなかった場合に異なる音で通知される（前記ソフトウェアが異常示度数を認識する）。前記ハンドピース２０２の先端にある前記振動子２２７（図１０、３４参照）は、歯肉に塗布される抗菌または殺菌ゲル、または信号結合器として歯肉に垂らされる水（または抗菌剤または殺菌剤を含む溶液などのその他の液体）を使用して、前記歯肉線１２４の下方に（各歯１００、１０６の表面に沿い、かつ前記歯周ポケット１１２内へと）超音波信号（つまりソナー波）を伝達する。信号はまた、信号結合器として前記歯肉線の下方の唾液も使用することができる。前記振動子２２７は、前記歯肉線１２４の下方の正常および／または異常解剖学的特徴との不調和に起因する対応エコーを捕らえる。各信号が往復するのにかかる時間が測定される。この測定から、反射を引き起こす前記特徴へと前記信号が移動した距離を決定することができる。この情報によって、前記システム２００の高度判別分析アルゴリズムは医療従事者に、無痛、非侵襲性、極めて正確、迅速、自動、デジタル式かつ使いやすい方法を提供して、患者の歯周構造および前記歯肉線１２４の下方の各歯の表面上の真の状態についての重要な情報を提供することができる。
【００４１】
本発明のその他の実施例において、前記表示部／制御器ユニット２０４（図３）は既存の補充水に直接接続することができる。任意で、回路基板は信号を一連の使いやすい画像に変換することができる。本発明の一側面において、前記表示部／制御器ユニット２０４は、タッチスクリーンよりはむしろキーボードおよびマウスを含む。本発明のもう１つの実施例において、前記システム３００（図４）は制御器ユニット３０４を含む。表示部／制御器ユニット２０４と同様に、前記制御器ユニット３０４は、データ格納部（図示せず）、水容器２３６、水流接続部２４０、電気的接続部２３８、および信号を制御、収集、および処理するための回路基板（図示せず）を含む。表示部／制御器ユニット２０４と対照的に、制御器ユニット３０４は表示部を含まない。本発明の本実施例において、制御器ユニット３０４は医療従事者の既存のコンピュータモニタに接続される。前記接続は、ＵＳＢポートを通してなど有線接続を通して、またはブルートゥースなど無線で達成することができる。
【００４２】
前記コンピュータ内の組み込みたソフトウェアは、前記信号をアナログからデジタル形式に変換し、アルゴリズムを使用して歯周靭帯の前記上方境界の深さに相当するエコーを寸法（ミリメートル単位のポケットの深さ）へと解釈および変換して、前記歯肉線１２４の上方または下方で歯の表面上の歯石１１０の存在を検出するので、それをより容易かつ効果的に取り除くことができる。
【００４３】
この表示部／制御器ユニット２０４は、前記ハンドピース２０２によって生成される前記アナログ情報を受け取り、前記データをデジタル形式に変換し、分析アルゴリズムを使用してそれを処理する。好ましくは、前記歯周システム２００はまた、歯科画像ソフトウェアも含んで前記適用歯１００、１０６の使いやすい画像を作成する（図５〜７の画面に示すとおりに）。前記画像は前記表示部／制御器ユニット２０４の大型カラータッチスクリーン上に表示することができる。歯科医が治療室においてもう１つの画面上で検査結果を閲覧したい場合は、前記表示部／制御器ユニット２０４が前記画像を無線または有線で歯科医の画面へと伝達する。歯科医は、前記表示部／制御器２０４ユニットの大型で使いやすいタッチスクリーン、またはキーパッドをしようして全患者情報を入力することができる。本発明のもう１つの側面において、歯科医は音声認識ソフトウェアを使用して全患者情報を入力することができる。さらに、前記システムは、その迅速接続／切断水および電気器具を使用して、治療室の間を容易かつ迅速に動かされる。
【００４４】
好ましくはシステム２００（図３）に含まれる前記ソフトウェアは好ましくは、前記表示部／制御器ユニット２０４に歯周測定２０６（図５）、結果の図表化２０８（図６）、および患者管理２１０（図７）を表示させる。一実施例において、前記ソフトウェアは周辺歯周組織とともに歯の画像を生成し、前記歯の前記画像上のデータを図解することができる。この方法で、医療従事者および患者は、歯周病の進行および／または治療、および／または歯肉線の下方の歯石の除去を視覚的に監視することができる。
【００４５】
好ましくは、前記歯周システム２００は、各患者を検査するまえに較正される。較正は、前記ソフトウェアを試験するステップ、前記ヘッドを較正するステップ、前記振動子を試験するステップ、および／または前記音響レンズを試験するステップを含むことができる。較正は、例えば前記ユニット２０４に組み込まれている既知の空洞の深さを測定することによって達成することができる。医療提供者の診療室における較正が不可能となるように前記歯周システム２００が機能しなくなった場合は、前記システム２００は任意で、供給業者からの新しいシステム２００、またはその一部の要請を伝達することができる自動メッセージングを備えることができる。
【００４６】
本発明の一実施例において、全ての検査は、歯科医または歯科衛生士がインターネットを介して第三者ウェブサイトに接続した後に実施される。このことによって、前記第三者は、前記歯周システム２００が適切に較正されて各検査前に完璧に作動しており、歯科医のアカウントに検査費用が適切に課されていることを確認することができるようになる。患者情報は、前記第三者によってそのウェブサイトで維持されるＨＩＰＡＡ準拠集中バックアップデータベースに安全に格納することができる。本実施例において、歯科医は前記ウェブサイトへの制御されたアクセスができ、下記のことができるようになる。  
・患者記録を見直す。
・アカウント情報を見直して更新する。
・使い捨て品目在庫および注文情報を見直して更新する。
・診療室内の前記システムの状態を見直す。
【００４７】
図１２に図示される本発明の一実施例において、前記第三者への接続は、企業ポータルソフトウェア５００で達成される。本発明において、歯科記録はバックアップ目的で前記第三者サイトに格納することができる。さらに、歯科記録（そのデジタル画像も含む）はオンライン相談のために歯周専門家に転送することができる。歯周専門家は患者の症状を評価し、前記第三者または患者が受診している歯科医または歯科医師に直接、その評価および勧告を送信することができる。さらに、前記企業ソフトウェアは歯科医の活動を監視することができる。前記システムを使用して、どの歯科医が軽微な歯周の問題を治療することに成功し、どの歯科医がそうでないかを決定することができる。さらに、それを使用して、患者の症状の重症度により歯周治療専門医にかかるべき患者を治療している歯科医を識別することができる。また、前記歯周システム２００用のソフトウェアは、更新が利用可能という通知があればユーザーによる要請による簡単なダウンロードを介して、またはサービス同意が整っていれば自動的にプロバイダによって、容易にアップグレードすることができる。なおもう１つの実施例において、前記歯科記録は暗号化することができる。
【００４８】
前記システムによって、歯科医は（複数年よりの紙記録よりはむしろ）コンピュータ画面上で検査結果を患者に見せることができ、また試験のプリントアウトを提供することもできる。これによって患者は歯科医が話したことを確認し、治療計画の有効性を監視することができる。歯周病治療計画が機能していることを見ることができるようになるので、この能動患者関与が多くの患者が歯科医の指示に従う結果になることが予期される。それはまた、患者（およびその支払人）に歯周病の存在の客観的証拠および治療の必要性を提供する。このことが、「立ち去る人」（つまり歯科医または歯周状態の重症度を信じない患者）の数を減らすことが期待される。  
【００４９】
患者が現在歯周病を有していない場合、基線デジタルイメージをある期間にわたって撮られた画像と比較することによって、歯科医および患者の両方が歯周病が存在していないことを見ることができる。
【００５０】
本発明の一実施例によれば、歯周検査者は初回検査中に患者の歯周ポケットの深さ１１２（図２）の基線を確立する。第一検査後、患者が新たな検査を受ける度に、以前の検査からのデータをデジタルで自動的に現在のデータと比較し、前記歯周システム２００の歯科表示ソフトウェアで図解することができる。このことによって歯科医および患者は、現在の手動プローブ方法を使用して発見できない歯周ポケットの深さ１１２の比較的軽微な変化さえも識別することができる。これらの微変化は、改善している、悪化している、または未変化であるポケットの状態を反映する着色された傾向線で図解することができる。本発明の一側面において、約０．２〜０．５ｍｍの変化を検出することができる。本発明のもう１つの側面において、約０．１〜０．２ｍｍの変化を検出することができる。このことによって、歯周病がその最初期段階であり容易かつ費用をかけずに治療できる間に治療を開始することができる。
【００５１】
前記歯周システム２００は、患者、歯科医療従事者、および支払人に下記のような大きな利点を提供する。
・患者にとっては、前記検査は客観的、非侵襲性、無痛、無血および費用がかからない。
・歯科医にとっては、前記検査は迅速、正確、客観的およびデジタル式である。歯科医は患者および支払人に直ちに検査結果の紙または電子コピーを提供することができ、付加的な歯周検査および初期段階歯周病治療費から相当量の付加的診療収益を生むと期待される。治療が必要であるという証拠は、画面上で患者に見せ、支払人にＥメール送信することができる。各患者のデジタル記録のバックアップコピーは、遠隔ウェブサイトにおいてＨＩＰＡＡ準拠方法で格納することができる。
・第三者支払人を含む支払人にとっては、前記検査は歯周病の存在および程度を正確に、客観的に、およびデジタルで確認することができる。ますます多くの歯科保険会社およびその他支払人が、治療が必要であったことを確認するために歯科医から患者の症状のデジタル証拠を要求している。
【００５２】
歯周病が存在する場合、歯科医はその最初期段階で歯周病の種類および程度を直ちに正確に検出および診断し、予防的治療を処方し、その拡大、罹患歯１０６の損失およびその他の重篤な疾患の発症を防いで医療費を削減する継続的な疾患管理を実施することができる。デジタル化データを使用すること、および治療期間中に数か月ごとに撮られる画像を生成することによって、歯科医および患者の両方は治療計画の有効性を容易に確認することができる。
【００５３】
この種類の予防歯科プログラムは、結果として患者にとってより良い歯科治療となる。実際、ほとんどの歯科医は、さらなる検査を実施し、より重篤な歯周病に発展して治療のために歯周治療専門医に紹介されていたであろう軽度歯周病患者を治療すると期待される。重篤な歯周病を現在有するそれらの患者は、なお歯周治療専門医に紹介されるであろう。
【００５４】
前記歯周システム２００は、歯と歯肉との間のすき間に鋭い金属プローブの繰り返される、しばしば苦痛を伴う挿入を必要とする、刺繍検査のために歯科医および歯科衛生士によって現在使用されている標準手動プローブおよびアナログ方法よりも、大幅に正確かつ詳細な情報を提供する。前記手動プローブおよびアナログ方法は非常に不正確で、患者の真の状態を１ｍｍ以上過大または過小評価する可能性がある。結果として、その極めて初期段階における歯周病を診断するための現在の手動プローブ方法の能力は非常に難しい。同じ歯科医でさえも、または同じ患者に歯周検査を実施する異なる歯科医も、優位に異なる測定値を導き出す可能性がある。このことは、いつも正確に同じ位置に設置されているわけではない前記プローブ、加えられる圧力の量、感染による肉芽組織の存在、歯科医または歯科衛生士の技能および経験、患者の動きなどを含む、多くの理由によって起こる。
【００５５】
それに反して、その許容誤差はたった＋／−０．１から０．５ｍｍで最小変化を容易かつ直ちに認識し治療することができるため、前記歯周システム２００の歯科画像技術は、歯周病のより正確で、一貫性があり、再現性のある測定および診断、およびその結果初期疾患治療の機会を提供する。好ましくは、前記許容誤差は０．１〜０．３ｍｍである。より好ましくは、前記許容誤差は約０．１〜０．２ｍｍである。
【００５６】
診断に加えて、前記歯周システム２００を使用して治療中の治癒の進行を監視することができる。本発明の前記システムおよび方法は非侵襲性であるため使用中に柔らかい治癒組織を引き裂いたりまたは分裂させたりしないので、治療中の治癒の進行の監視が可能である。このことは、結果として治癒組織を引き裂く可能性のある、前記歯１０６と歯肉１０２との間に鋭いプローブの挿入を必要とする歯周病の従来の測定方法と対照的である。
【００５７】
本発明のもう１つの実施例において、前記歯周システム２００を使用して歯周病の治療の補助をすることができる。本発明において、医薬品がユニットの液体容器２３６または前記ハンドピース２０２からの流体に加えられる。なおもう１つの実施例において、前記システムは、前記歯肉線１２４の下方の前記歯１０６の表面上の歯石１１０の存在を検出することができるので、それをより容易かつ効果的に取り除くことができる。さらに、歯石１１０の歯石１１０除去の完全性は、前記システム２００の以降の使用によって監視することができる。
【００５８】
本発明のもう１つの実施例によって、歯科医または歯科衛生士は、各歯においていくつの測定値を得たいかを決定することができる。本実施例は、収集および格納される大量のデジタルデータの取扱いを可能にするソフトウェアを含む。前記ソフトウェアによって歯科医は、診療室のコンピュータ上に患者のデータを得て格納することができる。本発明の一側面において、歯科医または歯科衛生士は連続モードで前記歯周システム２００を操作することができる。このモードにおいて、始動させられると、前記ハンドピース２０２は自動的に定期的な間隔でパルスを繰り返して放出する。歯科検査者は歯の表面にわたって１つの歯間隙から隣接する歯間隙へと前記プローブ先端を通過させる。好ましくは、前記歯科は、歯の顔側表面に沿った第一連続走査および歯の舌側に沿った第二スキャンを実施する。この方法で、いくつかの代表点からデータを集めるだけよりも、前記ポケットの底の輪郭を生成することができる。本実施例で取られるデータ点の合計数は、前記振動子の周波数および歯科検査者が前記歯１００、１０６にわたって前記ハンドピース２０２を引く速度に左右される。数十、数百、数千ものデータポイントを取ることができる。この方法で、前記歯周ポケット１１２の限局性疾患を検出することができる。本発明の一側面において、前記歯１００、１０６の全ては、歯科医または歯科衛生士によって走査することができる。本発明のもう１つの側面において、歯周病を呈しているとして以前識別された前記歯１０６のみが連続モードにおいて走査され、残りの前記歯１００は個別誘発パルスで走査される。本発明の本実施例のなおもう１つの側面において、口内の固定基準と組み合わせてジオポジショナル技術を使用し、前記歯周ポケット１１２の位置および輪郭を定義することの補助をすることができる。
【００５９】
本発明のもう１つの実施例は、完全かつ非常に正確な示度数および患者の歯の全ての三次元画像を得ることができ、歯科医が歯科用Ｘ線を得る必要性を排除することもできる。
【００６０】
本発明の１つの好ましい実施例は図８および９に図示される。本実施例は、直線ハンドル２１４を有するハンドピース２０２を提供する。前記ハンドル２１４の一端は、振動子（図示せず）を保持するように構成される空洞２１６を含む。空洞２１６に隣接するのは調整スロット２１８である。前記調整スロット２１８は、使い捨てカバー２１２内の突起部と結合する。前記調整スロット２１８および前記突起部の組み合わせは、新しい使い捨てカバー２１２を前記ハンドル２１４上に設置する場合の調整の信頼性を大いに向上させる。前記ハンドル２１４の中心部に位置するのは、第一円周スロット２２０である。本発明の一実施例において、前記第一円周スロット２２０はつる巻きバネを備える。使い捨てカバー２１２が前記ハンドル２１４上で定位置に押し込まれると、前記つる巻きバネは前記使い捨てカバー２１２の内側のスロットと結合し、スナップ式はめ合いを提供する。同様に前記ハンドル２１４の中心部に位置するのは、第二円周スロット２２２である。好ましくは、Ｏリングを前記第二円周スロット２２２を挿入して密封を提供する。前記使い捨てカバー２１２は、前記振動子および超音波が放出されるプローブ先端２２６を覆うヘッド部２２４を含む。本発明の一側面において、前記使い捨てカバー２１２は、一度使用したら前記使い捨てカバーを再使用できない安全機能を備えることができる。一側面において、前記使い捨てカバー２１２は通し番号などの識別特徴を含む。前記歯周システム２００は、前記識別特徴を読み込み、前記使い捨てカバー２１２が既に使用されたかどうかを決定する感知装置を備えることができる。前記使い捨てカバー２１２が既に使用されている場合、前記歯周システム２００は、新しい使い捨てカバー２１２が提供されるまで、さらなる検査の許可を拒むことができる。
【００６１】
本発明のもう１つの実施例において、前記プローブ先端２２６は、歯の間の歯間隙にぴったりとはまるような大きさである。この間隙の位置は変化するので、歯周測定値を取るための固定基準点を提供する。前記プローブ先端２２６は乳頭突起の後ろに位置することができるため、前記ハンドピース２０２は特に有利である。この構造において、前記ハンドピース２０２を使用して歯周病による歯周組織（歯肉１０２、歯周靭帯１０３、１２６、および歯の間の骨の反射鏡）の悪化を測定することができる。  
【００６２】
本発明の他の実施例において、前記歯周システム２００は、図１３および１４に図示されるハンドピース４０２を含む。本発明者らは、前記振動子２２７が前記プローブ先端４２６の近くに位置すると前記超音波プローブの性能が有意に向上することを認識している。他方では、疾患の拡大という懸念のために、患者の口に入る前記プローブのその部分を消毒する必要がある。本発明者らは、残念ながら、高圧蒸気殺菌法および化学洗浄などの全ての現在の消毒方法が前記ハンドピースの耐用年数およびその経時的な精度に悪影響を及ぼし、前記振動子２２７に損害を与える可能性があることを究明している。
【００６３】
本発明は、本実施例の前記ハンドピース４０２を容易に取り外し可能なカバー４１２に取り付けることができることを見出している。この配置で、前記振動子２２７は、前記プローブ先端４２６の近くで、前記ハンドピース２０２の前記ヘッド４２４に位置することができる。本発明の一実施例における歯周検査の後、前記取り外し可能カバー４１２を取り外して捨てることができ、新しい取り外し可能カバーを前記ヘッド４２４の上側に設置することができる。本発明のなおもう１つの実施例において、前記取り外し可能カバー４１２は消毒後に再利用することができる。つまり、前記取り外し可能カバー４１２は前記ハンドピース２０２から取り外し、別に消毒し、前記ハンドル４１４に再び取り付けることができる。本発明のもう１つの側面において、前記ハンドピース２０２は、診療室の間で前記システムを迅速に動かすことを容易にする迅速接続／切断電気２３８および液体流量接続部２４０を使用して、前記表示部／制御器ユニット２０４（図３）に接続される。
【００６４】
図１０は、本発明のもう１つの実施例を図示する。本実施例において、前記ハンドピース２０２は音響レンズ２２８を含む。本発明者らは、音響レンズ２２８で前記振動子２２７からの前記音波の焦点を合わせることによって、前記ハンドピース２０２の性能を有意に向上させることができることを見出している。典型的に、前記振動子２２７は、前記ハンドピース２０２の前記プローブ先端２２６の出口部の面積よりもさらに広い面積を有する。音響レンズ２２８によって、前記プローブヘッド２２４が前記先端２２６に向かって狭くなるにつれて、前記振動子２２７からの前記音波の多くは前記プローブヘッド２２４の内壁に反射する。しかしながら、音響レンズ２２８によって、前記音波は前記プローブ先端２２６の前記出口部の大きさに対して焦点を合わせることができる。
【００６５】
本発明のなおもう１つの実施例において、前記ハンドピース２０２の前記振動子２２７は、中間周波数で操作される。高周波音波がより高い分解能を生じる一方で、低周波音波はより高い浸透性を有することが知られている。典型的に、従来技術の超音波装置は、高浸透性が必要とされた場合に２〜５ＭＨｚの周波数で、およびより高い分解能が必要とされた場合に１５〜２０ＭＨｚで動作するよう設計されている。本発明の一側面において、本発明者らは、５から１５ＭＨｚの間の周波数を使用する振動子２２７は高分解能および高浸透性の両方を生じることができることを見出している。本発明の１つの好ましい実施例において、前記振動子周波数は約１０ＭＨｚである。
【００６６】
（先端形状の決定）
（設計の制約）
前記先端２２６の形状は好ましくは、患者の安心および使用の容易さを確保するよう設計される。それはまた選択された振動子と互換性があるべきで、つまり関心領域内の前記振動子の焦点を設置する。
【００６７】
（長さ）
本発明の一実施例において、一般的な長さは、医療従事者が前記プローブを適切に位置付けるために十分な空間を許容するが、なお医療従事者が角度位置を視覚的に決定するために十分な長さを提供するよう約１０ｍｍに決定された。指針としてのこの距離によって、適切な焦点距離（１３．２５ｍｍ）を有する利用可能な振動子が識別された。そして前記先端の最終的な長さを決定し、前記先端の端を約２ｍｍ越える前記焦点２４４を設置した。
【００６８】
（直径および輪郭）
本実施例において、前記先端２２６の内径および輪郭は、超音波パルスのビーム直径から決定された。前記先端２２６は前記超音波ビーム２４２を取り囲むが侵入せず、前記パルスが前記先端２２６に反射されないことを保証する。よって、適切に調整される場合、前記先端は超音波エコー内で可視的であってはならない。図３４は前記超音波ビームおよび前記先端形状を図示する。
【００６９】
（水路の設計）
（設計の制約）
流速は患者の安心を確保するのに十分低いが、前記振動子および患者との間に適正な音響結合を適用するのに十分高くあるべきである。  
【００７０】
（平均流速）
理論的に、水の流速は瀦音波エコーの飛行計測の時間にごくわずかな影響を与えるべきである。発信パルスの速度が水の速度によって増加する一方、到来パルスの速度は同じ量によって減少する。しかしながら、乱流は信号の雑音またはひずみを引き起こす可能性があり、よって速度は好ましくは前記先端を通る層流（レイノルズ数＜１，０００）を確保するよう制限される。０．５ｉｎの最小先端直径で、最大層流速度は毎秒約３．１インチである。
ｖ＝（Ｒｅν）／ｄ
であり、
ｖは流れの速度
Ｒｅはレイノルズ数（１，０００）  
νは水の運動学的粘性（１．０１ｘ１０−５ｍ２／ｓ）  
ｄは前記先端の最小内径（０．５ｉｎ）
最大層流速度は毎分６０４ｍＬである。
Ｑ＝ｖＡ  
であり、
ｑは流速
ｖは流れの速度（３．１ｉｎ／ｓ）
Ａは前記先端の断面積（０．１９６ｉｎ２）
試験はまた、計測値に対する流速の影響を検証するためにも実施した。
本研究は、穴のない第二アルミニウム板の最上部に設置される１ｍｍ直径の円形貫通孔を含む呼び厚さ４．７６３ｍｍ（４．７５２ｍｍ測定）の平らなアルミニウム板からの反射に対する波形データを集めた。１１．０５５ｍｍの先端を有する浸漬振動子（Ｘａｃｔｅｘ、１０ＭＨｚ、焦点距離１３．２５ｍｍ、ビーム直径０．６７ｍｍ）を使用した。データは、前記先端の端から約１ｍｍに位置づけられた反射器で９つの個別流速で収集した。流速は、１０ｍＬ  Ｈａｍｉｌｔｏｎ気密シリンジを有するＨａｒｖａｒｄ  Ａｐｐａｒａｔｕｓ  ＰＨＤ  ２０００プログラム可能を使用して調整した。各流速に対して、３つの連続波形測定値を記録した。
【００７１】
本研究の結果は図３５に示される。流速は、前記平板までの距離の決定にほとんど影響を及ぼさなかった。しかしながら、前記穴から生成された信号は、５から７．５ｍＬ／ｍｉｎの間の計測値の変化とともに流量の変動を示した。このデータから、１０から１５ｍＬ／ｍｉｎの流量の目標範囲が選択された。この範囲は、範囲を通して一貫した計測値を提供し、音響結合に対して十分な流量を提供する。
【００７２】
（流量波動）
好ましくは、前記歯周システム２００は約３０Ｈｚの走行速度を有する隔膜ポンプを使用する。これは３０ｍｓの繰り返し周期に等しい。好ましくは、走査全体のデータ収集時間は３０ｕｓ、またはポンプ周期の１／１０００である。よって、隔膜が流速における観察できる波動を生成したとしても、流量は走査収集の持続時間中に安定するよう適度に想定することができる。
【００７３】
（気泡の排除）
超微粒気泡を含む気泡は、信号の減衰を劇的に増加させ、信号強度を低下させる。流路は好ましくは、前記システムから気泡を流し出すことを容易にするよう設計される。空気が閉じ込められる可能性のある流路内の領域（つまり局所高点）は好ましくは最小限化される。また、前記水は好ましくは、前記ハンドピースの脱気上流である。これは、好ましくはＰＴＥＥフィルタの一側面上の真空発生器を引っ張ることによって達成される。水の表面張力は、液体がこのフィルタを通って流れることを防ぐが、空気およびその他の気体はそれを通って自由に流れることができる。
【００７４】
本発明の好ましい実施例は、前記セメント質−エナメル質接合部１３２に対する前記歯肉線１２４（図２）を測定する完全非侵襲性方法、および前記セメント質−エナメル質接合部１３２から前記歯周ポケット１１２の底に伸びる前記歯周ポケット１１２の深さの決定を提供する。本実施例において、音波は前記歯肉線１２４から始まる前記歯１０６に沿って伝達される。返還エコーは前記判別分析アルゴリズムによって分析される。前記セメント質−エナメル質接合部１３２からのエコーはその位置を前記歯肉線１２４に対して固定する一方、前記歯周ポケット１１２の底からのエコーは前記歯周ポケット１１２の底の位置を前記歯肉線１２４に対して固定する。前記歯周ポケットの深さは、前記歯肉線１２４から前記ポケット１１２の底までの距離から、前記歯肉線１２４から前記セメント質−エナメル質接合部１３２までの距離を引くことによって決定される。対照的に、従来技術の超音波歯周装置は、侵襲性プローブを使用して前記セメント質−エナメル質接合部１３２を決定するか、または前記セメント質−エナメル質接合部１３２を完全に無視して前記歯周線１２４を通して前記歯周ポケット１１２を測定するかのいずれかであった。
【００７５】
本発明の一側面において、前記返還パルスは増幅されて雑音から別のピークへと変換される。本発明の１つの好ましい実施例において、ウェーブレットアルゴリズムが変換過程において使用される。本発明のなおもう１つの実施例において、判別分析アルゴリズムを使用して様々なピークの識別を決定することに役立てる。なおもう１つの実施例において、ウェーブレットおよび判別両方の分析アルゴリズムが使用される。
【００７６】
一実施例において、前記表示部／制御器ユニット２０４（図３）は一連の可聴音および／または視覚信号を提供して検査を通して歯科医を導くことによって、歯科医が次の歯１００、１０６に進むか、または画像が適切に撮られなかった場合に最後の歯に戻って再検査できるようにする。これらの信号はまた、歯科医に重大な歯周病、または注意または治療を必要とするその他の症状を示す可能性のある異常に深い歯周ポケット１１２の存在を警告することができる。
【００７７】
前記表示部／制御器ユニット２０４は完全内蔵型であり、信号を部屋の外に伝達できなくても自らの画面上に必要な画像を提供する。また、患者情報を再入力しなくてもいいように、患者情報の全ては無線でまたはケーブル接続を介して歯科医の診療室のコンピュータへ送信することができる。
【００７８】
本発明のもう１つの実施例において、前記ハンドピース２０２は使い捨てカバー２１２を含む。前記使い捨てハンドピースカバー２１２は、データ入力目的のために前記システムのタッチスクリーン上で使用することができる使い捨てスタイラスペン、患者検査の間に前記ハンドピースを拭き取るための滅菌ポーチ内のアルコールをしませたガーゼパッド、および飛散の場合における前記タッチスクリーン用の透明使い捨てプラスチックカバーも含む滅菌不正開封防止包装の中に含まれる。前記包装、全ディスポ、および技術（全改強化を含む）は、検査費用の支払を考慮して無償で歯科医に提供することができる。
【００７９】
図１１は、本発明のなおもう１つの実施例を図示する。前記歯周システム２００の本実施例は、ハンドピース２０２および表示部／制御器ユニット２０４を含む。本実施例は始動装置２２９をさらに含む。本実施例において、前記始動装置２２９は、３つのフットペダル２３０、２３２、２３４を含む。前記始動装置２２９は前記振動子２２７（図１０）を作動して流体の流れを起こす。もう１つの実施例において、前記始動装置２２９は前記ハンドピース２０４上にある。もう１つの実施例において、前記始動装置２２９は音声起動を可能にするソフトウェアを含む。
【００８０】
下記は、前記死集システム２００のソフトウェアの様々な特徴を要約および解説する（図１１）。この概要は、前記ソフトウェアが下記を行う方法を解説する。
・前記装置の電子部品を制御する
・エンドユーザーと連動する
・音響信号の起動および受信、および歯周ポケットの深さのその後の算出を含むデータ収集アルゴリズムを実行する
・収集されたデータを表示する
・患者情報を格納し保護する
・前記装置を較正する
・外部装置と通信する
前記歯周システム２００は、患者の歯周状態の測定において使用される超音波プローブシステムである。前記歯周システム２００は、手持ち式プローブ２０２、始動機構および小型表示部／制御器ユニット２０４から成る。前記プローブ２０２は、超音波パルスを水またはその他の液体（典型的に音響結合に必要な）の流れを通して患者の前記歯周ポケット１１２の中に伝達し、前記歯周ポケット１１２内の解剖学的特徴との超音波の不調和に起因するエコーを捕らえる。前記表示部／制御器ユニット２０４内で作動する埋め込みソフトウェアは、分析アルゴリズムを使用して、音響エコーを歯周靭帯１３０の外側境界の深さ（ミリメートル単位のポケットの深さなど）と相関させる。  
【００８１】
前記ソフトウェアアプリケーションは好ましくは、前記表示部／制御器ユニット２０４上で作動する組み込みオペレーティングシステムに対応される。前記ソフトウェアアプリケーションは、前記歯周システム２００を制御する。制御機能には下記が含まれる。
・外部始動機構（フットペダル２３０、２３２、２３４など）からのトリガー信号を受け取り次第、外部ハードウェアに信号を送信して超音波パルスを放出すること
・前記手持ち式プローブ２０２への水量を制御すること
・デジタル化電気信号として超音波エコーを収集すること
・前記ポケットの深さの算出を行うこと
・走査の間に、必要に応じて前記歯周システム２００の較正をすること
・走査の終わりおよび新規走査を行う準備を意味し、ユーザーに可聴指示を提供すること
・タッチスクリーンおよびＬＣＤ表示部２０５を駆動すること
・前記始動機構を介してユーザー入力に反応すること
・患者および患者データベースにおいて行われた全検査に関してデータを格納すること
・外部ビデオ表示ユニットを駆動することができる
・ソフトウェアのアップグレードを受信することができる
・患者データを伝達および受信するためのネットワーク通信に対応すること
・遠隔インターネットポータルに通信すること
図１５は、前記歯周システム２００の機能配置の実施例を図示する。表２は、前記歯周システム２００のソフトウェアアプリケーションと連動する主な部品および外部システムの一覧を含み、前記装置におけるその主な機能を示す。
【００８２】
【表２】
2008534167.tif 000009
（ソフトウェア環境）
（オペレーティングシステム）
本発明の１つの好ましい実施例において、前記歯周システム２００は、Ｗｉｎｄｏｗｓ（登録商標）  ＸＰプロフェショナル・オペレーティングシステムの部品化型であるＷｉｎｄｏｗｓ（登録商標）  ＸＰ内蔵型（ＸＰｅ）オペレーティングシステムを使用して動作するマイクロプロセッサを含む。前記部品化によって、前記歯周システム２００の前記オペレーティングシステムは、前記死集システム２００の操作に必要なＷｉｎｄｏｗｓ（登録商標）  ＸＰの機能のみ、およびそうでないものの除外を含むようカスタマイズすることができる。
【００８３】
（ソフトウェア開発ツール）
前記アプリケーションは好ましくは、ＭｉｃｒｏｓｏｆｔのＶｉｓｕａｌ  Ｓｔｕｄｉｏ  ６．０  ＩＤＥ（一体型開発環境）を使用してＣ＋＋コーディング言語で書き込まれるオブジェクト指向Ｗｉｎｄｏｗｓ（登録商標）アプリケーションである。しかし前記アプリケーションは、他のコンピュータ言語を使用し、かつ他のツールで実行することもできる。グラフィックツール、前記Ａ／Ｄカード用デバイスドライバプログラム、前記タッチスクリーン制御電子回路、前記始動装置を含むソフトウェアモジュール、および音声スピーカは好ましくは、前記アプリケーションに含まれるか、または動的リンクライブラリ（ＤＬＬ）ファイルを介して前記アプリケーションによってアクセスされる。
【００８４】
（ハードウェア環境）
（シングルボード・コンピュータおよびプロセッサ）
前記歯周システム２００のソフトウェアアプリケーションは好ましくは、前記インターフェースハードウェアおよびソフトウェアコンポーネントの全てに対応して含むシングルボード・コンピュータ上で動作する。このコンピュータは好ましくは、ＶＩＡ  Ｔｅｃｈｎｏｌｏｇｉｅｓ，ＩｎｃのＴｗｉｓｔｅｒ−Ｔチップセット（ＶＴ８６０６およびＶＴ８２Ｃ６８６Ｂチップ）を有する１−ＧＨｚ  ＶＩＡ  ＥｄｅｎＴＭ  ＥＳＰ  １００００プロセッサを有する。さらに、それは好ましくは、２５６ＭＢのＲＡＭ、キーボードおよびマウス用の接続、陰極線管（ＣＲＴ）および液晶表示部（ＬＣＤ）ビデオインターフェース接続、４つのユニバーサル・シリアル・バス（ＵＳＢ）ポート、２つのイーサネット（登録商標）ポート、１つのパラレル／フロッピー（登録商標）ポート、１つの汎用入出力（ＧＰＩＯ）ポート、および４つのシリアルポートを有する。それは、ＰＣ／１０４およびＰＣ１０４＋インターフェース、およびコンパクトフラッシュ（登録商標）アダプタを有する。その他の組み合わせの入出力接続もまた可能で、本発明の範囲内である。
【００８５】
（タッチスクリーン制御器）
ＬＣＤの正面に搭載される４線式抵抗接触感受性タッチスクリーンは、前記歯周システム２００のソフトウェアとの操作者の相互作用にとって好ましい方法である。前記タッチスクリーンは好ましくは、ワンタッチマウスと同じ方法で使用される。制御器盤は好ましくは、前記タッチスクリーンから到来するアナログ信号をＸおよびＹ座標および選択事象に変換し、ＵＳＢインターフェース上でこのデータを前記コンピュータに通信する。ドライバソフトウェアは典型的に、前記制御器盤の操作を必要とする。このドライバアプリケーションは好ましくは、最初にＬＣＤのＸおよびＹ座標をタッチスクリーンのＸおよびＹ座標と相関させて、２つの基準座標系の間の不均衡を計上するタッチスクリーン較正ソフトウェアを含む。一実施例において、前記ドライバアプリケーションは前記歯周システム２００のソフトウェアアプリケーションの一部ではなく、前記オペレーティングシステムによって使用され、それが前記制御器盤から到来するマウス様入力を受信して使用できるようにする。前記タッチスクリーンは好ましくは、前記装置がユーザーに納品される前に較正される。通常状況下では、ユーザーは前記タッチスクリーンを較正しない。  
【００８６】
（始動装置）
前記歯周システム２００はこのましくは、始動装置によって、患者検査中に操作者によって制御される。前記始動装置はコマンドを前記歯周システム２００に送信し、取得を開始するか、または次の歯の位置へと移動する。前記始動装置によって与えられるコマンドは好ましくは、一意のキーボード配列に割り当てられ、前記オペレーティングシステムが特定のキーボード配列として前記始動装置から受け取られる各種類のコマンドを解釈することを意味する。前記歯周システム２００のソフトウェアアプリケーションはこれらのキーボード配列（前記始動装置によって生成される）を待ち、各報告された配列に応じて特定措置をとる。前記キーボード始動装置の割り当ては表３で下記に示される。
【００８７】
急速プロトタイプおよび試験中歯周システム２００用の前記始動装置は好ましくは、ＵＳＢインターフェースを通して前記歯周装置２００のマイクロプロセッサに接続される三位フットペダルである。例えば、Ｗｉｎｄｏｗｓ（登録商標）用の豊富なＳａｖａｎｔ  ＵＳＢドライバを使用して、前記オペレーティングシステムと前記フットペダルとの間のＵＳＢ通信を調整することもできる。前記始動装置はまた、前記ハンドピースのボタンを使用し、または音声認識ソフトウェアを使用して起動することができる。
【００８８】
【表３】
2008534167.tif 000010
（入出力）
好ましくは、前記ソフトウェアアプリケーションは、前記表示部／制御器２０４のパラレルポートを介して、水制御電磁弁、前記パルサー／受信部、および前記Ａ／Ｄカードといった３つの部品と連動する。好ましくは、３つ全ては、それらが接続されている前記パラレルポートチャネルからデジタルＨＩＧＨ信号を受信するときに始動される。典型的に、前記パラレルポートは、前記データ収集ソフトウェアが前記オペレータインターフェースからの適切なコマンドを受信するときに、これらの信号を送信するよう指示される。パラレルポートソフトウェアモジュールは、前記歯周システム２００のソフトウェアアプリケーションに書き込まれ、このインターフェースを構成して使用するために必要な機能を実行することができる。前記パルサー／受信部およびＡ／Ｄカードは、同じパラレルポートチャネルによって起動される。  
【００８９】
前記電磁弁が開くと、水は好ましくは、前記歯周システム２００のハンドピース２０２へと前記弁を通過する。前記パルサー／受信部は好ましくは、負電圧パルスを、パルスを音響エネルギーに変換する前記超音波振動子２２７に送信する。そして前記振動子２２７は、それに戻ってくる音響エコーを受信し、前記パルサー／受信部に送り返されて前記Ａ／Ｄボードにサンプリングされる電気信号に変換する。
【００９０】
（アナログ／デジタルボード）
好ましくは、前記アナログ／デジタル（Ａ／Ｄ）ボードは、前記歯周システム２００のマイクロプロセッサ上のＰＣＩバス上で通信する。前記歯周システム２００のソフトウェアアプリケーションは好ましくは、このボードからのデータを初期化し、始動し、回収するために必要なドライバ機能および可変物の全てを含むソフトウェアモジュールを含む。このモジュールに含まれる前記機能は好ましくは、前記ボードの製造業者によって供給される。本発明の一側面において、前記返還エコー波形の１２ビットデジタルサンプルは、毎秒１００メガサンプルの速度で収集される。その他の側面において、前記デジタルサンプルはおおむね１２ビットを備えることができる。なおその他の側面において、前記サンプル速度はおおむね毎秒１００メガサンプルにすることができる。
【００９１】
（フラットパネル表示部）
前記半透過型ＴＦＴ  ＬＣＤフラットパネル表示部は好ましくは、操作すべき付加的なソフトウェアおよびドライバを必要とせず、前記オペレーティングシステムに常駐するドライバによって制御される。好ましくは、前記ＢＩＯＳはＬＣＤおよび外部ＣＲＴモニタの両方に対応するよう構成される。前記ＬＣＤ接続は好ましくは、前記歯周システム２００の内部にある一方、外部ＣＲＴへの接続は前記装置の後部に備えることができる。
【００９２】
（音声スピーカ）
前記音声スピーカは好ましくは、前記オペレーティングシステムに常駐するドライバによって対応される。選択された音声ファイル（．ＷＡＶなど）を再生するためのソフトウェアコマンドは好ましくは、プラットフォーム（Ｗｉｎｄｏｗｓ（登録商標）  ＸＰ内蔵）機能を使用して出される。
【００９３】
（コンパクトフラッシュ（登録商標））
好ましくは、前記コンパクトフラッシュ（登録商標）カードは、前記歯周システム２００の格納媒体として機能する。好ましくは、それは前記オペレーティングシステム（ＸＰｅ）、前記歯周システム２００ソフトウェアアプリケーション、および患者記録のデータベースを含む。前記オペレーティングシステムは、前記コンパクトフラッシュ（登録商標）カードから起動するよう構成される。好ましくは、前記コンパクトフラッシュ（登録商標）カードは、ＩＩ型、１ＧＢサイズ、および固体媒体として初期化されている。しかしながら、あらゆる適切な型およびサイズを使用することができる。
【００９４】
（外部ネットワークインターフェース）
好ましくは、前記歯周システム２００は、有線（イーサネット（登録商標））または無線（８０２．１１ｘ）接続を通して外部装置と通信することができる。好ましくは、前記イーサネット（登録商標）ハードウェアは前記コンピュータに組み入れられ、ドライバは製造業者によって供給される。前記無線ハードウェアは、前記コンピュータに加えることができるオプションモジュールである。前記無線イーサネット（登録商標）モジュールの製造元または型は、本発明に極めて重要ではない。
【００９５】
図１５は、前記ソフトウェアアプリケーションの４つの主なタスクの図式概要を提供する。これらは、前記オペレータインターフェース、データ収集および較正、患者情報のデータベースおよびデータの維持、および外部インターフェースを含む。
【００９６】
前記オペレータインターフェースは前記アプリケーションの基幹を形成し、前記アプリケーションのその他全ての機能は好ましくはこのインターフェースを通して受け取られるコマンドから制御される。操作者は接触感受性画面および始動装置を通してコマンドまたはデータを入力し、一連のインターフェース画面を介して情報を再度受け取ることができる。操作者はまた、前記音声スピーカを介して音声フィードバックを受けることもできる。
【００９７】
データの収集および分析を制御するソフトウェア要素は典型的に、前記オペレータインターフェースから指示を受け取り、それらのタスクを行うための必要なソフトウェアおよびハードウェア手順を実行する。同様に、これらの要素はまた、前記データ収集システムの較正のタスクも制御することができる。
【００９８】
好ましくは、患者データは、前記アプリケーションによって作成および維持されるデータベースに格納される。このアプリケーションは好ましくは、患者データの入力、修正、および保護を制御する。
【００９９】
外部インターフェースソフトウェアは、前記始動装置または外部モニタなどの外部装置を有するＵＳＢおよびイーサネット（登録商標）ポート上での通信に好ましい。好ましくは、前記外部ソフトウェアは、歯周データを格納または回収することができるウェブ基盤格納と通信する能力を作成する。最終的に、それは好ましくは、１つの歯周システム２００から歯科医の診療室内のもう１つのシステムへ、および通信の安全な回線上で外部コンピュータを往復して患者データおよび情報を渡すことを可能にする。
【０１００】
検査の実施の典型的な過程は図１６に示される。操作者は典型的に、ログイン画面を通して前記装置にログインする。そして前記操作者は前記患者データベースから既存の患者を読み込むか、またはそれから前記患者データベースに格納される新規患者を作成することができる。この時点で、操作者が新規受診を作成する場合は、検査モードにおいて機能しており、検査を行って歯の状態データに入力することができる。このモードの使用法は好ましくは、企業会計目的に対する使用法と考慮される。好ましくは、操作者が既存の患者受診を単に閲覧する場合は、レビューモードで機能しており、患者データおよび患者の歯周および歯の状態データ上の標準報告書を閲覧することができる。
【０１０１】
（図式的ユーザーインターフェース画面）
前記オペレータインターフェースは、図１７に示されるとおり、特定機能を有するいくつかの画面から成る。市販のソフトウェアライブラリを使用して、ダイアログボックスおよびオペレータインターフェース画面の外観を図式的に強化することができる。
【０１０２】
前記アプリケーションへの入り口は好ましくは、操作者がパスワードを使用してログインすることを可能にするログイン画面を通す。ログインすると、操作者は、アカウント画面を通してアカウント情報を閲覧し、操作者画面で優先を設定し、または患者記録画面を通して患者情報を見直すことができるメイン画面にある。この画面によって操作者は、現在の患者を選択して読み込むか、または新規患者を作成することができる。
【０１０３】
患者が読み込まれると、操作者はカルテ画面を通して記録を閲覧または編集することができる。前記カルテ画面は、ポケットの深さ、および患者履歴選択画面を通して選択されるあらゆるオーバーレイを含む歯の状態データを含む患者についての情報を示す。操作者は、歯の状態データ入力画面を通して患者に対する歯の状態データを編集することができるか、またはポケットの深さ測定画面を通して歯周検査を行うことができる。操作者は、全カルテ閲覧画面および歯の履歴閲覧画面を通して患者についての報告書を閲覧することができる。  
【０１０４】
（共通画面情報）
カルテ画面、歯の状態データ入力画面、ポケットの深さ測定画面、全カルテ閲覧画面、歯の履歴閲覧画面は好ましくは、画面の上端および下端に下記のようなフィールドを有する。
・操作者氏名の文字列。
・患者氏名の文字列。
・新規受診であれば現在の日付および時間である、現在読み込まれた受診の日付および時間。
・画面上の事象に対して状況情報で操作者に指示をするために使用される、状況の文字列
・ステータスバーにおいて毎分１回更新される、現在の日付および時間
・操作者をヘルプ画面に誘導し、画面用のヘルプのトピックス索引の関連したセクションをロードするためのヘルプボタン
（歯の状態の表）
好ましくは、いくつかの画面は表形式で表される歯の状態データを有するカルテを含む。一実施例において、サイズ制限により、および読みやすさを最大限にするために、カルテは一度に８本の歯のみからのデータを提示する（口の４分の１）。本発明のその他の実施例において、最大で歯の全てを含む、あらゆる数の歯を提示することができる。例えば、歯科医は歯周病のある１本の歯、または罹患した歯のそれぞれの側の１本または２本の歯（それぞれ合計３本または５本の歯）の閲覧を選択することができる。
【０１０５】
特定のデータが好ましくは、歯の各位置に対して表示される。前記位置は下記のように示すことができる。
・Ｄは歯の遠位側の位置
・Ｍは歯の近心側の位置
・Ｃは歯の中心位置（つまり近心と遠位位置との間）
本発明のその他の側面において、データを歯間隙においてとり、Ｉとして示すことができる。
【０１０６】
好ましくは、歯の側面（および歯間隙内）の前記３つの位置のそれぞれに対して表示されるデータは下記のとおりである。
・ポケットの深さ（０．０〜９．９）
・分岐（０〜３）
・後退（０〜３、またはオプション画面で決定されるＭｉｌｌｅｒ分類を使用する）
各歯に対して表示される歯の状態データは下記を含むことができる。
・化膿（ありはＳ、なしは空白）
・可動性（０〜３）
・浮腫（０〜３）
・欠落（ありは欠落、なしは空白）
（ログイン画面）
この画面は好ましくは、前記装置に電源を入れた時の初期画面である。好ましくは、この画面が提示される時は、前記装置にログインするか、または前記装置をシャットダウン（電源を切る）する以外は、前記装置のその他の画面または機能は起動されない。ログインボタンをクリックすると、操作者はログインして前記装置を使用し始めることができる。この方法で、取り入れられたあらゆるデータは操作者と関連している。好ましくは、操作者が検査を終了すると、メイン画面から前記装置のログオフをするべきである。そうすると、この画面が好ましくは唯一の目に見える画面となる。本発明の一側面において、前記装置が設定可能な時間の間稼働していない場合、この画面が再び稼働となる。ログインは、患者の医療記録に対する一層のセキュリティを提供する。図１８は、ログイン画面の概念図を示す。
【０１０７】
操作者には、ログイン画面において下記のようなフィールドおよびボタンが表示される。
Ａ．ログインボタン：このボタンは、個人が前記装置にログインできるようにするキーボードダイアログを開く。個人は選択可能な操作者の１人として、かつその操作者のパスワードでしかログインできない。常に「管理者」が利用できるログインがあり、その個人がログインすると、特別な機能を使用することができる（例えば、アカウント画面で新規操作者の追加を選ぶことができる）。
Ｂ．シャットダウンボタン：このボタンによって、操作者は前記システムの「ソフト」シャットダウンをすることができる。これは、前記歯周システム２００装置をシャットダウンするための好ましい方法である。
Ｃ．歯周システム２００画像：この画像は、前記装置およびＰＩＩロゴを表示するために利用可能である。
【０１０８】
（メイン画面）
メイン画面は好ましくは、前記歯周システム２００装置の機能への入り口として使用される。この画面上で、操作者は前記装置のログアウトまたはシャットダウンをすることもできる。図１９は、メイン画面の概念図を示す。メイン画面を使用して製品およびサービスの販売促進をし、歯科医にケアの標準および患者の歯周状態に適用できる治療の推奨コースを収容するデータベースへのアクセスを提供することもできる。
【０１０９】
操作者には、メイン画面において下記のようなフィールドおよびボタンが表示される。
Ａ．メニュー説明：メニューオプションについての文字情報
Ｂ．メニューボタン：これらのボタンは、操作者を様々な画面（患者記録、アカウント、オプション、ヘルプ、ログイン）へ移動させるか、または現在の操作者がログアウトできるようにする。
【０１１０】
（アカウント画面）
アカウント画面を使用して前記システムの製造業者についての情報を表示し、前記装置の使用についての統計およびアカウント情報を提供することができる。ユーザーはこの画面に行き、現在のアカウント状況についての情報およびアカウントを更新する方法についての説明を得る。図２０は、アカウント画面の概念図を示す。
【０１１１】
操作者には、アカウント画面において下記のようなフィールドおよびオプションが表示される。
Ａ．アカウント概要：この部分は好ましくは、アカウント状況および前記装置に残っている使用数などの歯科医のアカウントについての情報を一覧化する。アカウントに残っている許可された使用の数が少ない場合、表示される数の色が赤くなり、警告文字が数の下に現れることができる。残っている許可された使用の数が少なくなければ、数の色は好ましくは通常の文字色である。
Ｂ．アカウント機能：この分野は好ましくは、「管理者」である操作者が使用して下記のようなアカウント操作を行うことができるボタンを含む。
・新規操作者を追加する
・供給業者からさらなる補給品を注文する
・供給業者からさらなる装置の使用を注文する
Ｃ．登録済み歯科医院についての情報登録番号および歯科医院名および住所などの、前記装置の現在の所有者の文字表示。
Ｄ．Ｐｅｒｉｏ  Ｉｍａｇｉｎｇ  Ｉｎｃ．情報：ＰＩＩに連絡する方法についての文字情報を含む。
Ｅ．歯周システム２００情報：現在の装置の通し番号、ならびにソフトウェアおよびハードウェアのバージョンを示す。
Ｆ．戻るボタン：このボタンは操作者をメイン画面に戻す。  
【０１１２】
（オプション画面）
オプション画面は好ましくは、操作者が前記装置および測定の過程に対する優先を設定し格納できるようにする。各オプションは一覧から選択することができる。オプションが選択されると、その特定制御が好ましくは画面上に表示される。図２１は、オプション画面の概念図を示す。
【０１１３】
画面を通して特定することができるオプションには下記が含まれる。
・歯の測定走査の順序に対する優先オプション
・スピーカおよびマイクロホンの音量設定
・ログイン画面のタイムアウト
・メモの定義
操作者には、ログイン画面において下記のようなフィールドおよびボタンが表示される。
Ａ．オプション一覧：これは、操作者に修正のために選択するべきオプションのツリー表示を提示する。選択すると、それらのオプションに対する制御が好ましくはオプション閲覧で見えるようになる。
Ｂ．オプション閲覧：閲覧範囲は好ましくは、オプション一覧で選択されるオプション一式に関連した全ての制御を収容する。
Ｃ．リセット：このボタンは好ましくは、全オプションを初期設定にリセットする。
Ｄ．適用：このボタンは好ましくは、全ての修正済みオプションを前記装置に適用する。
Ｅ．戻るボタン：このボタンは好ましくは、操作者をメイン画面に戻す。
【０１１４】
（患者記録画面）
患者記録画面によって、操作者は内部データベースに格納された患者記録を追加および編集することができる。各患者は好ましくは、前記装置の内部に格納され、データを外部装置（ＰＩＩインターネットポータルなど）に転送する際に使用される一意の識別番号（ＩＤ）を割り当てられる。図２２は、患者記録画面の概念図を示す。  
【０１１５】
操作者には、患者記録画面において下記のようなフィールドおよびオプションが表示される。
Ａ．患者記録選択：この一覧は好ましくは、操作者が患者および特定の記録を選択できるようにする。操作者が患者選択を変更すると、受診選択フィールドが好ましくは、その患者に対する全ての過去の受診の一覧で更新する。また、画面の上端に表示される患者氏名が好ましくは更新される。このフィールドには好ましくは下記のようないくつかの機能がある。  
ａ．新規追加：このボタンは好ましくは、（患者氏名、歯科医院患者ＩＤ、生年月日、性別、および住所）を含む新規患者の入力を可能にする一連のキーボードダイアログを開く。入力後、新規患者氏名は好ましくは、患者記録選択フィールドに表示されてハイライトされる。
ｂ．編集：このボタンは好ましくは、操作者が患者情報（患者氏名、歯科医院患者ＩＤ、生年月日、性別、および住所）を編集できるようにする一連のキーボードダイアログを開く。  
ｃ．削除：このボタンは好ましくは、操作者が患者を削除したいかどうかを確認するための確認ダイアログを提起する。注：その患者に受診がない場合にしか患者を削除することはできない。  
ｄ．検索：このボタンは好ましくは、操作者が患者の苗字の最初の数文字を入力できるようにして、患者記録選択一覧において患者を素早く見つけることを可能にするダイアログを開く。
Ｂ．受診選択：この一覧は好ましくは、操作者が現在選択されている患者に対して行われた受診の全てを閲覧できるようにする。患者が新規作成されて受診がない場合は、この一覧は好ましくは空白である。受診が選択されると、画面の上端に表示される受診日付が好ましくは更新される。このフィールドには好ましくは下記のようないくつかの機能がある。  
ａ．新規追加：このボタンは好ましくは、操作者が現在選択されている患者に対する新規受診記録を作成できるようにする。現在の患者に対する受診記録選択一覧の新規入力が好ましくは、作成、表示、および選択される。前記新規入力は好ましくは、現在の時間および日付を参照する。操作者に新規受診の追加を続行したいことを確認するよう求める警告ダイアログが好ましくは表示される。  
ｂ．閲覧：このボタンは、操作者をレビューモードにおけるカルテ画面へと移動させる（図１６参照）。このボタンは好ましくは、受診が受診選択一覧において選択された後、または新規受診が追加された後に初めて有効となる。  
ｃ．編集：このボタンはこのましくは、操作者を検査モードにおけるカルテ画面へと移動させる（図１６参照）。このボタンは好ましくは、受診が受診選択一覧において選択された後、または新規受診が追加された後に初めて有効となる。
Ｃ．戻るボタン：このボタンは好ましくは、操作者をメイン画面に戻す。
【０１１６】
（患者カルテ画面）
患者カルテ画面を使用して、歯の画像に重ねられた患者受診からの全ての歯周測定データおよび歯の状態データの表形式提示を表示する。また、操作者は過去の受診から患者データを表示することを選択できる。表示される全てのデータはインターネットデータベースから回収される。図２３は、患者カルテ画面の概念図を示す。
【０１１７】
操作者には、患者カルテ画面において下記のようなフィールドおよびオプションが表示される。
Ａ．歯のカルテ：歯周データは好ましくは、各測定に対する点または歯の画像に重ねられた点の間の線として提示される。表示される特定データは好ましくは、履歴選択および歯の選択矢印によって制御される。好ましくは、８本の歯の領域はハイライトされ、これらの歯に対するデータは歯の状態データ表で表にされる。
Ｂ．歯の名前：現在選択されている歯の文字名。
Ｃ．歯の状態データ表：歯の状態表による、現在選択されている４分の１に対する表形式の歯の状態データ。
Ｄ．オプションボタン：  
ａ．ポケットの深さ測定：このボタンは好ましくは、操作者をポケットの深さ測定画面に移動させる。好ましくは、このボタンは、操作者が検査モードにある場合のみ有効である。
ｂ．歯の状態データ入力：このボタンは好ましくは、操作者を歯の状態データ入力画面に移動させる。好ましくは、このボタンは、操作者が検査モードにある場合のみ有効である。
ｃ．カルテ全体閲覧：このボタンは好ましくは、操作者をカルテ全体閲覧画面に移動させる。  
ｄ．歯の履歴閲覧：このボタンは好ましくは、操作者を歯の履歴閲覧画面に移動させる。
Ｅ．ナビゲーションボタン：  
ａ．顔側／舌側切替ボタン：これらのボタンは好ましくは、歯のカルテおよび歯の状態データ表上に提示される顔側および舌側データの間で選択する。
ｂ．歯の選択矢印：操作者はこれらのボタンを使用して、どの歯一式が歯のカルテにおいてハイライトされており、よって歯の状態データ表で表にされてもいるかを見ることができる。操作者は、歯上の位置、歯、または４分の１別に見ることできる。
Ｆ．履歴選択ボタン：このボタンは好ましくは、操作者を患者履歴選択画面に移動させる。これによって操作者は、どの過去の検査を歯のカルテに重ねるか、およびどの過去の検査を歯の履歴閲覧画面に表示するかを選択することができる。
Ｇ．本日＆日付１〜３ボタン：これらのボタンは好ましくは、どのオーバーレイが現在歯のカルテ上でハイライトされているかを制御する。履歴は、履歴選択ボタンを通して選択される。日付１〜３は、３つ未満の履歴選択がある場合は適切に無効とされる。
Ｈ．戻るボタン：このボタンは操作者を患者記録画面に戻す。
【０１１８】
（歯の状態データ入力画面）
歯の状態データ入力画面を使用して、歯の状態表による患者にたいする歯の状態データを入力する。表示される全てのデータはインターネットデータベースから回収され、入力されるあらゆるデータはインターネットデータベースに格納される。図２４は、歯の状態データ入力画面の概念図を示す。
【０１１９】
操作者には、歯の状態入力画面において下記のようなフィールドおよびオプションが表示される。
Ａ．上から見た歯の図：これは好ましくは、歯の包括的な画像であり、操作者に選択されている現在の歯を見せるために使用される。
Ｂ．歯の名前：現在選択されている歯の文字名。
Ｃ．歯の注釈：このフィールドは好ましくは、この歯に対するこの患者について現在入力されている文字注釈を表示する。  
ａ．標準注釈：一側面において、メモの入力用の６つのボタンがある。これらはオプション画面で定義することができる。
ｂ．カスタム注釈：操作者は、キーボードダイアログへと移動させるカスタム注釈ボタンをクリックすることによって、カスタム注釈に入力することができる。  
ｃ．注釈消去：これは好ましくは、注釈フィールドを消去するために使用される。
Ｄ．歯の状態データ表：歯の状態表による、現在選択されている４分の１に対する表形式の歯の状態データ。
Ｅ．ナビゲーションボタン：  
ａ．顔側／舌側切替ボタン：これらのボタンは好ましくは、歯のカルテおよび歯の状態データ表上に提示される顔側および舌側データの間で選択する。  
ｂ．歯の選択矢印：操作者はこれらのボタンを使用して、どの歯一式が歯のカルテにおいてハイライトされており、よって歯の状態データ表で表にされてもいるかを巡回することができる。操作者は、歯上の位置、歯、または４分の１別に巡回することできる。
Ｆ．戻るボタン：このボタンは好ましくは、操作者をカルテ画面に戻す。
【０１２０】
（ポケットの深さ測定画面）
ポケットの深さ測定画面は、歯周測定値の収集を容易にする。操作者は、前記始動装置を使用してポケットの深さ測定を始動し、自動的に次の歯へと進む自動化走査検査を行うことができる。操作者はまた、自動化検査の前、最中、または後のいずれかに、患者に対するデータを手動で入力することもできる。図２５は、ポケットの深さ測定画面の概念図を示す。
【０１２１】
操作者には、ポケットの深さ測定画面において下記のようなフィールドおよびボタンが表示される。
Ａ．上から見た歯の図：これは好ましくは、歯の包括的な画像であり、操作者に選択されている現在の歯を見せるために使用される。
Ｂ．歯の名前：現在選択されている歯の文字名。
Ｃ．歯の状態：この静的文字列は好ましくは、現在選択されている歯が欠落しているかどうかを表示する。
Ｄ．歯の画像：これは好ましくは、現在の歯がハイライトされている口の画像である。この画像は好ましくは、検査中に操作者を導くのに役立つよう使用される。
Ｅ．ポケットの深さデータ表：この表は好ましくは、４分の１の８本の歯の一側面（顔／下）上の３つの位置（近心、中心、遠位）のそれぞれに対するポケットの深さ測定の結果を表示する。
Ｆ．オプションボタン：
・検査開始：このボタンは好ましくは、自動化走査順序を開始または停止するよう切り替える。開始する際には較正画面が表示され、これは好ましくは、前記装置の較正を通して操作者を導く。較正後、操作者は好ましくは自動化走査を行う。
・手動入力：このボタンは好ましくは、操作者をキーボード入力ダイアログに移動させる。ユーザーは現在の位置に対して手動で深さを入力することができる。これは、従来のプローブ測定値の入力を対象としており、好ましくは一単位（０〜９）のデータのみを許容する。
Ｇ．ナビゲーションボタン：
・顔側／舌側切替ボタン：これらのボタンは好ましくは、現在選択されている歯に対して歯の側面を変更する。
・歯の選択矢印：操作者はこれらのボタンを使用して、現在選択されている歯および位置を巡回することができる。操作者は、歯上の位置、歯、または４分の１別に巡回することできる。
Ｈ．戻るボタン：このボタンは好ましくは、操作者をカルテ画面に戻す。
【０１２２】
（較正画面）
前記超音波振動子を覆う使い捨て覆いは、各患者検査の前に取り替えられることを目的としている。製作公差による個々の覆いの差違は、水流および検査間の音響性能のわずかな差違の原因となる可能性がある。よって、装置の較正は好ましくは、データ収集セッションの間に行う。
【０１２３】
前記システムを較正する際に操作者を補助するために、前記アプリケーションは較正スクリーンを介して操作者に指示を提供する。好ましくは、この画面を使用して、新しいハンドピース２０２の取り付けおよび前記歯周システム２００の較正を通して操作者を導く。過程は異なるステップに分けることができ、操作者は好ましくは較正ウィザードによってステップを通して導かれる。本発明の一側面におけるステップ間でナビゲートするためには、次および戻るボタンがある。図２６は、較正画面の概念図を示す。
【０１２４】
本発明の一実施例において、較正過程における４つのステップがある。各ステップに対する支持画像が、手順表示フィールドに順に表示される。較正過程における前記ステップは下記のとおりである。
１．新しいハンドピース２０２の取り付け：このステップは好ましくは、操作者が滅菌包装からハンドピースを取り出すこと、およびそれを基本部に取り付ける方法を説明する。
２．較正器具へのハンドピースの設置：このステップは好ましくは、操作者に、構成を行うために前記装置本体上で前記ハンドピース２０２を設置する場所を示す。一側面において、ユーザーが次ボタンを押すと、前記装置が測定値を取り較正を行うという説明がある。
３．較正の実施：このステップは好ましくは、較正の結果を示す。好ましくは、較正が成功または不成功であったかについての記述がある。較正が不成功である場合、好ましくは考えられる問題および改善の説明がある。この場合、次ボタンはこのましくは無効であり、操作者は典型的に最後のステップへ戻って較正をやり直す必要がある。
４．較正完了：このステップは好ましくは、較正が終了し、操作者が較正において測定を行うことができることを示す。    
【０１２５】
操作者には典型的に、較正画面において下記のようなフィールドおよびボタンが表示される。
Ａ．手順図：これは、較正ステップを説明するための画像用の表示である。
Ｂ．手順指示：好ましくは手順の各ステップに対する指示を有する文字情報。
Ｃ．次および戻るボタン：これらのボタンは好ましくは、較正ステップを通したナビゲーションを可能にする。
Ｄ．取り消しボタン：このボタンは好ましくは、操作者がすでに前記現在のハンドピース２０２に対する較正を行っている場合に較正を取り消すことができるようにする。
【０１２６】
（歯の履歴閲覧画面）
歯の履歴閲覧画面は、好ましくは操作者に現在および過去の受診データを含む特定の歯についてのデータを提示する報告画面である。この画面上で操作者は歯の間で変更を行うことができる。過去の受診は好ましくは、患者履歴選択画面上で選択されるものである。図２７は、歯の履歴閲覧画面の概念図を示す。
【０１２７】
操作者には、歯の履歴閲覧画面において下記のようなフィールドおよびボタンが表示される。
Ａ．上から見た歯の図：好ましくは、これは歯の包括的な画像であり、操作者に選択されている現在の歯を見せるために使用される。
Ｂ．歯の名前：現在選択されている歯の文字名。
Ｃ．歯の注釈：このフィールドは好ましくは、現在および過去の受診に対して現在選択されている歯について入力される文字注釈を表示する。
Ｄ．歯の状態データ表：歯の状態表による、現在選択されている４分の１に対する表形式の歯の状態データ。
Ｅ．ナビゲーションボタン：  
ａ．顔側／舌側切替ボタン：これらのボタンは好ましくは、現在選択されている歯に対して歯の側面を変更する。  
ｂ．歯の選択矢印：操作者はこれらのボタンを使用して、現在選択されている歯を巡回することができる。操作者は、歯上の位置、歯、または４分の１別に巡回することできる。
Ｆ．戻るボタン：このボタンは好ましくは、操作者をカルテ画面に戻す。
【０１２８】
（患者カルテ全体閲覧画面）
患者カルテ全体閲覧画面は、好ましくは歯周および歯の状態データを含む患者カルテ全体を閲覧するために操作者に提示する報告画面である。図２８は、患者カルテ全体閲覧画面の概念図を示す。
【０１２９】
操作者には、患者カルテ全体閲覧画面において下記のようなフィールドおよびボタンが表示される。
Ａ．全カルテ：この画像は好ましくは、歯周の深さ計測値、歯の状態データ、および歯に対する深さのオーバーレイの図形描画（カルテ画面上の歯のカルテのものと同様）を含む患者カルテを表示する。本発明の一側面において、一度に上または下の歯のみが表示される。本側面において、ナビゲーションボタンを使用して各歯一式の間で切り替える。本発明のもう１つの側面において、同時に上および下の歯両方が表示される。
Ｂ．ナビゲーションボタン：  
ａ．上／下ボタン：これらのボタンは好ましくは、上の歯および下の歯の表示の間で全カルテを切り替える。
Ｃ．戻るボタン：このボタンは好ましくは、操作者をカルテ画面に戻す。
【０１３０】
（履歴選択画面）
患者履歴選択画面によって、操作者は他の患者受診を選択することができる。好ましくは、これらの受診はカルテ画面上のオーバーレイとして、かつ歯の履歴閲覧画面で表示されるものである。図２９は、患者履歴選択画面の概念図を示す。
【０１３１】
操作者には、患者履歴選択画面において下記のようなフィールドおよびボタンが表示される。
Ａ．患者受診履歴一覧：この一覧ボックスは好ましくは、現在選択されている患者に対する全ての受診の一覧を表示する。操作者は、フィールド内の個々の受診をクリックする。
Ｂ．データ履歴選択：この一覧ボックスは好ましくは、患者の受診履歴を素早く選択するためのオプションを含む。オプションには下記が含まれる。
・例えば、最初の３つの受診記録を選択する。本発明のその他の側面において、選択された受診の数はおおよそ３つにすることができる。
・例えば、最後の３つの受診記録を選択する。本発明のその他の側面において、選択された受診の数はおおよそ３つにすることができる。
・最後の受診を選択する。
・最初の受診を選択する。
・以前の検査のデータ範囲を選択する。
Ｃ．受診選択ボタン：患者受診履歴一覧で受診が選択されると、このボタンが好ましくは前記受診を履歴選択に加える。
Ｄ．受診選択解除ボタン：このボタンは好ましくは、患者受診履歴一覧内の現在選択されている受診を非選択状態にする。
Ｅ．全選択解除ボタン：このボタンは好ましくは、患者受診履歴一覧内の全ての選択されている受診を非選択状態にする。
Ｆ．戻るボタン：このボタンは好ましくは、操作者をカルテ画面に戻す。  
【０１３２】
（ヘルプ画面）
この画面には、操作者がクリックしてトピック特有のヘルプを得ることができるトピックの一覧がある。表示される情報は好ましくは、前記装置についてのヘルプおよび歯周検査についての教材を含む。図３０は、ヘルプ画面の概念図を示す。
【０１３３】
操作者には、ヘルプ画面において下記のようなフィールドおよびボタンが表示される。
Ａ．ヘルプのトピック：好ましくは、このツリー一覧は、操作者が選択することができる関心のトピックを表示する。
Ｂ．ヘルプ表示：このフィールドは好ましくは、トピックについての特定のヘルプを与えるテキストおよび画像の組み合わせを表示するために使用されるＨＴＭＬビューアーである。前記ヘルプは好ましくは、ＨＴＭＬコードおよび画像として内部に格納される。前記フィールドはＨＴＭＬである必要はなく、あらゆる適切な言語を使用することができる。
Ｃ．戻るボタン：このボタンは好ましくは操作者を、操作者が最初にヘルプ画面を呼び出した場所である前の画面に戻す。
【０１３４】
（追加ダイアログ）
ダイアログは典型的に、データ入力のため、操作者に状態を告知／警告するための両方で、特定ユーザーインターフェースに使用される。ダイアログは概してモーダルであると考慮され、これは、いったん表示されると、警告に対して「ＯＫ」をクリックするなど、ユーザーが何らかの特定の措置を行ってダイアログを閉じるまで、プログラムが好ましくは継続できないことを意味する。
【０１３５】
（キーボードダイアログ）
このダイアログは好ましくは、文字および数字入力のために、プログラムを通して使用される。それは好ましくは、全ての１０数字（０〜９）、文字、キャプスロックキー、および入力用の様々な特殊文字を含む。好ましくは、入力されるデータ、入力を受け入れるためのエンターボタン、および入力を取り消すための取り消しボタン用の表示部がある。
【０１３６】
（患者ダイアログの追加／編集）
これらのダイアログは好ましくは、操作者が新規または既存の患者についての情報を入力または編集できるようにする。入力できる情報は下記のとおりである。
・患者氏名
・歯科医院
・歯科医院患者ＩＤ
・生年月日
・性別
・住所
・患者の歯科および病歴
・家族歴
（エラーダイアログ）
このダイアログは好ましくは、プログラムにエラーがある場合に表示される。これは、操作者が前記エラーを修正するために行うことができる措置の説明を含む。
【０１３７】
（患者検索ダイアログ）
このダイアログは好ましくは、キーボードを含み、患者の氏名の最初の数文字を入力することによって、操作者が患者の一覧において患者を素早く見つける補助をするために表示される。
【０１３８】
（データ収集）
前記データ収集ハードウェアは、前記超音波振動子２２７、前記パルサー・受信部、および前記アナログ・デジタル変換器（Ａ／Ｄカード）を含む。水流が好ましくはデータの記録用であるため、前記水制御電磁弁を制御する前記リレーも好ましくはデータ収集要素として考慮される。
【０１３９】
前記歯周システム２００の操作者が前記ユーザーインターフェース装置（前記始動装置および前記タッチスクリーン２０５）を通して較正または臨床データ収集コマンドを入力すると、前記ユーザーインターフェースソフトウェアが好ましくは、それを前記データ収集ソフトウェア要素に送り、それが順に適切なコマンドを前記ハードウェアに出す。前記パルサー・受信部、Ａ／Ｄカード、および電磁バルブリレーは好ましくは、前記パラレルポートを通して前記ＳＢＣによってそれらに送信される論理レベル信号によって始動または起動される。前記パルサー／受信部およびＡ／Ｄカードは好ましくは、同じパラレルポートチャネルに配線され、よって好ましくは同時に始動される。サンプリングされたデータは好ましくは、前記Ａ／Ｄカード上のメモリから前記ＳＢＣメモリへと送られ、そこで前記Ａ／ＤカードのＰＣＩヘッダ上で前記歯周システム２００ソフトウェアにアクセスすることができる。
【０１４０】
（データ収集および分析順序）
図３１は、前記ソフトウェアによって制御されるデータ収集および分析事象の順序を図解する図である。この過程は好ましくは、操作者が前記指導装置を押すことによって走査を始める度に実行される。
【０１４１】
好ましくは、事象の前記データ収集順序は較正およびヒト使用中データ収集に対してほぼ同一である。操作者が前記始動機構を介してスキャンを開始すると、前記電磁弁リレーは好ましくは前記弁を開いて音響結合水流を開始する。好ましくは、流量安定化を可能にする休止の後、前記アプリケーションは前記データ収集ハードウェアにＮ音響信号を収集するように命令する。好ましくは、各測定収集は下記のように発生する。
・前記パルサー／受信部が始動され、好ましくは電気パルスで前記超音波振動子を「鳴らす」。
・前記超音波振動子が超音波を放出する。
・前記超音波振動子が返還音波エコーを電気信号に変換する。
・前記パルサー／受信部が前記振動子から信号を受信し、それを出力用に調整する。
・前記Ａ／Ｄカード（好ましくは前記パルサー／受信部で始動される）がそのメモリに前記返還信号を記録する。
・Ｎ信号が記録されると、前記ソフトウェアアプリケーションは好ましくは、処理のために全ての信号をＡ／Ｄメモリからシステム（ＳＢＣ）メモリへ転送する。
【０１４２】
好ましくは、全てのＮ信号がシステムメモリ内に入ると、それらは２度予備的処理をされる。第一にそれらは全て好ましくは、必要基準と比較され、無効信号は拒否される。第二に、残りに信号は好ましくは、互いと比較され、最高質信号が分析のために選択される。前記分析アルゴリズムは前記信号を処理し、データベースに格納される歯周ポケットの深さを見出す。
【０１４３】
前記較正収集順序はほぼ同一である。一度に全て転送されているＮ信号の代わりに、各信号は収集された直後に転送され処理される（図３１に図示せず）。前記較正信号は好ましくは全て処理され、互いと比較されない。好ましくは、前記較正信号は処理され、振動子から前記ハンドピース先端の端までの距離を決定する。前記Ｎ信号からの平均先端距離は好ましくは、先端距離較正パラメータとして使用される。
【０１４４】
較正および測定収集の両方の場合において、データの収集および分析が成功すると、「成功」チャイムが好ましくは前記歯周システム２００のスピーカから発せられる。エラーが発生すると、「不成功」チャイムが好ましくは鳴り、走査失敗の原因を示すメッセージが前記表示部に表示される。前記走査失敗の原因によっては、操作者は前記走査を繰り返すよう指示される。
【０１４５】
前記収集信号処理アルゴリズムは好ましくは、解剖学的構造から戻ってくる前記超音波エコーのデジタル表現を、０．１ミリメートルの分解能を有するミリメートル単位（０．０ｍｍ〜９．９ｍｍ）での歯周ポケットの深さの単一測定値に変換する。好ましくは、前記較正信号処理アルゴリズムは、較正対象から戻ってくる前記超音波エコーのデジタル表現を、０．１ミリメートルの分解能を有するミリメートル単位での前記振動子から前記ハンドピース先端の端までの距離の単一測定値に変換する。
【０１４６】
（自動データ入力）
歯周検査中に、操作者は典型的に、あらかじめ計画された測定ルートに従い、前記装置に指示されてデータを収集する。操作者は測定位置を飛ばしたり、またはポケットの深さ測定画面および前記始動装置上の制御を使用して以前に取得された測定値を再取得する。図３２は、三位フットペダルが前記始動装置として使用されることを想定する、データ収集中の操作者のオプションの図である。操作者は前記左右フットペダルを使用し、かつポケットの深さ測定画面上の位置、歯、４分の１ナビゲーションボタンを使用することによって、所望の位置に進むことができる。本発明の一側面において、前記中央ペダルボタンを押すと走査を開始する。操作者は、ポケットの深さを手動で測定し、手動入力ボタンをしようしてデータベース内に深さを記録することを選択できる。操作者はヘルプボタンをクリックしてヘルプ領域に入力し、そしてポケットの深さ想定画面に戻ることができる。最後に、操作者は検査停止ボタンをクリックすることによって、検査を終了することを選択できる。  
【０１４７】
（歯周システム２００データベース）
前記歯周システム２００によって使用または収集される全ての操作者、患者および受診情報は好ましくは、前記歯周システム２００内に備わっている前記歯周システム２００のデータベースに収容される。このデータベースは好ましくは、操作者および患者（氏名、住所など）ならびに臨床データ（歯周ポケットの深さ、歯の状態の注釈など）に対する両方の個人情報を収容する。前記歯周システムの２００のデータベースは好ましくは、それぞれ下記に詳しく述べられる６つの異なる表を含む。
【０１４８】
前記歯周システム２００のデータベースは電子個人識別可能健康情報（ＥＰＨＩ）を含むため、この情報を伝達する時にプライバシーおよび安全保障の法律が好ましくは考慮される。これらの問題の簡単な考察も下記に含まれる。
【０１４９】
（操作者表）
表４は、各操作者に対して前記歯周システム２００データベースに格納される前記情報を要約する。ＯｐＩＤ番号は好ましくは記録作成時に割り当てられ、好ましくは順次性である。好ましくは、全フィールドは図式的ユーザーインターフェースを通して変更されると自動的に更新される。好ましくは、新規操作者に歯周システム２００を使用する承認が与えられるたびに、その情報が操作者表内の新規行の記録となる。ＯｐＤＯＢのデータの種類は日付／時間であるが、ＯｐＤＯＢの時間部分は典型的に前記アプリケーションにおいて決して入力またはアクセスされず、よって無視することができる。
【０１５０】
【表４】
2008534167.tif 000011
（患者表）
表５は、各患者に対して前記歯周システム２００データベースに好ましくは格納される前記情報を要約する。患者ＩＤ番号は好ましくは記録作成時に割り当てられ、好ましくは順次性である。好ましくは、全フィールドは図式的ユーザーインターフェースを通して変更されると自動的に更新される。例えばオプション患者ファイルＩＤフィールドを使用して、歯科医院の診療管理ソフトウェアから患者ＩＤの番号を格納することができる。好ましくは、新規患者が初めて歯周システム２００を使用して歯科医院によって検査されるたびに、その情報が患者表内の新規行の記録となる。典型的に患者ＤＯＢのデータの種類は日付／時間であり、患者ＤＯＢの時間部分は前記アプリケーションにおいて決して入力またはアクセスされず、よって無視することができる。
【０１５１】
【表５】
2008534167.tif 000012
（受診表）
表６は、各患者受診に対して前記歯周システム２００データベースに格納される前記情報を要約する。受診ＩＤ番号は好ましくは記録作成時に割り当てられ、好ましくは順次性である。好ましくは、全フィールドは図式的ユーザーインターフェースを通して変更されると自動的に更新される。受診日付ファイル名フィールドは好ましくは、受診に対する未加工歯周データを含むファイルへのディレクトリ・パスを含む。好ましくは、前記データは前記データベースに自ら格納されず、前記データベースが大きくなりすぎるのを防ぐ。好ましくは、歯周検査が開始されるたびに、結果として受診表における新規受診行の記録の作成が生じる。
【０１５２】
【表６】
2008534167.tif 000013
（受診歯の状態表）
表７は、各受診に対して前記歯周システム２００データベースに格納される前記歯の状態情報を要約する。データＩＤ番号は好ましくは記録作成時に割り当てられ、好ましくは順次性である。受診ＩＤフィールドは好ましくは、前記歯の状態が記録された時の歯周検査の受診ＩＤ番号を含む。好ましくは、全フィールドは図式的ユーザーインターフェースを通して変更されると自動的に更新される。本発明の一側面において、フィールドＴ１ＣないしＴ３２Ｃは、それぞれ０または１の値を有する５つのコンマ区切り数字をそれぞれ含む。各数字は好ましくは、特定の歯の状態の存在（１の値）または欠如（０の値）を参照する。本発明のこの側面において、前記５つの数字は順番に、欠落している歯、化膿、出血、可動性、および浮腫を参照する。本発明のもう１つの側面において、付加的な数字を割り当てて、かぶせもののある歯または再移植された歯を参照することができる。好ましくは、歯周検査が開始されるたびに、結果として歯の状態表における新規歯の状態行の記録の作成が生じる。
【０１５３】
【表７】
2008534167.tif 000014
（受診深さ表）
表８は、各受診に対して前記歯周システム２００のデータベースに格納される前記深さ測定情報を要約する。データＩＤ番号は好ましくは記録作成時に割り当てられ、好ましくは順次性である。受診ＩＤフィールドは好ましくは、前記深さの測定値が記録された時の歯周検査の受診ＩＤ番号を含む。好ましくは、全フィールドは図式的ユーザーインターフェースを通して変更されると自動的に更新される。本発明の一側面において、フィールドＴ１ＤないしＴ３２Ｄはそれぞれ２４のコンマ区切り数字を含む。これらの２４数字は好ましくは、歯の周りの６つの位置のそれぞれに対して、検査時に操作者によって測定または評価される４つの値を表す。前記４つの値は好ましくは順番に、歯周ポケットの深さ、化膿の程度、後退の程度、および状態を参照する。好ましくは、歯周検査が開始されるたびに、結果として深さの表における新規深さ行の記録の作成が生じる。本発明のもう１つの実施例において、測定値は歯の周りの６つの位置よりもむしろ、歯の間の歯間隙で取得される。この実施例において、前記数字は乳頭突起の後ろで取得される値を表し、歯周病による歯周組織（歯肉１０２、歯周靭帯１０３、１２６、および歯の間の骨の反射鏡）の悪化と関連している。さらに、付加的な数字を割り当てて、かぶせものがあったり、または再移植されている歯の測定値を記録することができる。
【０１５４】
【表８】
2008534167.tif 000015
（歯の注釈表）
表９は、歯周受診中に記録される各歯の注釈に対して前記歯周システム２００のデータベースに格納される前記情報を要約する。注釈ＩＤ番号は好ましくは記録作成時に割り当てられ、好ましくは順次性である。受診ＩＤフィールドは好ましくは、前記歯の注釈が記録された時の歯周検査の受診ＩＤ番号を含む。ＴＮｕｍフィールドは好ましくは、前記注釈が作成された歯の番号を含む。好ましくは、全フィールドは図式的ユーザーインターフェースを通して変更されると自動的に更新される。好ましくは、前記注釈フィールドは単に、操作者によって記録される前記注釈を含む文字列である。好ましくは、歯周検査が開始されるたびに、結果として歯の注釈表における新規注釈行の記録の作成が生じる。
【０１５５】
【表９】
2008534167.tif 000016
（ＨＩＰＡＡ適合性）
好ましくは、前記歯周システム２００は個人健康情報を収集、格納および伝達するため、ＨＩＰＡＡ（医療保険の携行と責任に関する法律）に適合するべきである。これらの規定は、取られる措置が個人健康情報のプライバシーおよび安全保障を確保することを必要とする。その情報はまた、管理上の単純化を促進するために業界標準形式で承認された伝達に利用可能でなくてはならない。
【０１５６】
ＨＩＰＡＡに準拠するために、前記歯周システム２００によって伝達されるあらゆる個人識別可能健康情報は、好ましくは暗号化される。典型的に暗号化は、臨床データのみを送信すること、および患者および操作者の生年月日、住所、および氏名などの個人識別子を省略することによって可能となる場合に制限されるべきである。データもまた、ＨＥＰＡＡ基準に準拠する形式の伝達に利用可能とすることができる。これらの進化しつつある基準を満たすよう採用される方略には柔軟性が存在する。
【０１５７】
（外部インターフェース）
前記歯周システム２００はインターネット上で外界と通信することができる。これは好ましくは、診療室内の各歯周システム２００における前記データベースを同期させるために、オンラインソフトウェアアップグレードを可能にし、歯周データの報告書を印刷し、およびその他の活動を行うことである。下記の図３３は、前記歯周システム２００の外部通信に関与する主なソフトウェアおよびハードウェアコンポーネントを表す。
【０１５８】
好ましい通信方略は、各歯周システム２００を個別に前記ポータルと、およびそれのみと通信させることである。前記インターネットポータルは好ましくは、各顧客の診療室に対して、全ての以前の測定済みデータおよび、その診療室由来である全ての記録済み患者受診および操作者情報を格納する中央データベースへのアクセスを有する。起動時および／または検査前に、前記歯周システム２００は好ましくは、前記インターネットポータルからのそのローカルデータベースに対する更新を要求する。これは好ましくは、そのデータベースを前記インターネットポータル上の前記診療室中央データベースと同期させる。好ましくは、これよって、歯科医院でいずれの歯周システム２００装置を使用しても患者は検査を受けることができる。これはまた好ましくは、過去に患者を検査するためにどの装置が使用されたかにかかわらず、操作者に全患者歯周情報へのアクセスを与える。好ましくは、いずれの歯科医院医療提供者も、前記インターネットポータルにログインすることによって、標準的なウェブブラウザから、その診療室由来である歯周報告書を閲覧または印刷することができるようになる。
【０１５９】
前記歯周システム２００は好ましくは、カテゴリ５ケーブルであるイーサネット（登録商標）アダプタが組み込まれて標準となる。オプションの無線イーサネット（登録商標）アダプタも利用可能である。
【０１６０】
前記歯周システム２００のソフトウェアアプリケーションは好ましくは、第三者インターフェースアプリケーションを介して前記インターネットポータルと通信する。このインターフェースアプリケーションおよび前記インターネットポータルは以下に説明する。  
【０１６１】
（インターネットポータル）
前記インターネットポータルとの通信は好ましくは、ローカル（装置）および中央データベース間のデータベース情報（操作者、患者、および受診情報）の移動および同期化を調整する。これはまた好ましくは、使用およびアカウント情報およびソフトウェア更新の移動のための経路でもある。患者および操作者情報は、前記歯周システム２００の装置に直接、またはウェブブラウザを通して個別装置による以後のダウンロードのために歯科医院の中心データベースに直接入力することができる。例えば、同じ情報を歯科医院の診療管理ソフトウェアアプリケーションに入力している間に、新規患者に対する情報をウェブブラウザおよび前記インターネットポータルを介して前記歯周システム２００のデータベースに入力することは便利である。前記インターネットポータルを往復する全情報伝達は好ましくは、ＨＩＰＡＡプライバシーおよびセキュリティ規則に準拠して行われる。
【０１６２】
（インターネットポータルインターフェースアプリケーション）
前記インターネットポータルインターフェースアプリケーションは、前記歯周システム２００のソフトウェアアプリケーションと前記インターネットポータルとの間の双方向通信を容易にする。それは好ましくはＨＴＴＰ／ＸＭＬ基盤である。歯科医院の診療管理ソフトウェアパッケージと前記歯周システム２００のデータベースとの間の調整は、もしあれば、前記ポータルインターフェースアプリケーションを介して行う。
【０１６３】
（具体例）
（ピーク検出）
ピークは、まず信号閾値を選択することによって検出された。選択された前記閾値は、波形値の９０台パーセンタイル値であった。つまり、信号の１０％のみが前記閾値よりも大きいレベルである。そして、波形の各値を両側の１表示波長までの値、つまり前後５ポイントと比較することによって極大を求めた。前記値が両側の値よりも大きかった場合は、極大と指定された。最後に、同じ範囲にわたって統合することによってピークの重要性を決定した。前記範囲の平均値が前記閾値よりも大きかった場合は、極大は有意ピークであると決定した。
【０１６４】
（ピーク判別）
先端の終点の後の最大有意ピークは、歯肉からの反射に相当すると決定された。測定範囲（０から１０ｍｍ）内の最後の有意かつ一貫したピーク（つまりピークが反復走査の６０％に存在する）は、ポケットの底のであると決定した（図３９参照）。図示されていないが追加データが、歯肉線からセメント質−エナメル質接合部までの距離を確立する。よって、歯肉線からポケットの底までの距離から、歯肉線からセメント質−エナメル質接合部までの距離を引くことによって、付着損失を決定することができる。
【０１６５】
本発明の前述の説明は、図解および説明の目的で提示されている。これは網羅的としたり、または本発明を開示される正確な形に限定することを目的とせず、改良および変化は上記の教示を踏まえて可能であり、または本発明の実践より獲得することができる。図および説明は、本発明の実施例およびその実際の適用の原則を説明するために選ばれた。これは、その請求項および用語が、従来技術および適用法令によって許容される最も広い範囲で本発明を保護するよう解釈されることを目的とする。さらに、本発明の一側面に関連して解説される特徴は、上記に明記されていなくても、その他の実施例と連動して使用することができる。  
【図面の簡単な説明】
【０１６６】
【図１】図１は、左の健康な歯および右の歯周病の歯を示す概略図である。
【図２】図２は、図１に図示される前記歯のより詳細な概略図である。
【図３】図３は、本発明の第一の実施例による歯周システムの斜視図である。
【図４】図４は、本発明の原則に従った他の歯周システムである。
【図５】図５は、本発明の一側面を図解するシステムの斜視図である。
【図６】図６は、本発明のもう１つの側面を図解するシステムの斜視図である。
【図７】図７は、本発明のもう１つの側面を図解するシステムの斜視図である。
【図８】図８は、本発明の第一の実施例による分解されたハンドピースの略図である。
【図９】図９は、図８に図示される組み立てられたハンドピースの略図である。
【図１０】図１０は、音響レンズを有する本発明の実施例の略図である。
【図１１】図１１は、フットペダル制御機器を有する本発明の実施例の機能配置である。
【図１２】図１２は、企業ポータルの使用を図解する本発明の実施例の略図である。
【図１３】図１３は、本発明の一実施例による分解されたハンドピースの略図である。
【図１４】図１４は、図１３に図示される組み立てられたハンドピースの略図である。
【図１５】図１５は、本発明のソフトウェア設計の略図である。
【図１６】図１６は、本発明の実施例の動作モードを図解する流れ図である。
【図１７】図１７は、本発明の実施例の画面フローを図解する流れ図である。
【図１８】図１８は、本発明の実施例である、初期ログイン画面のスクリーンショットである。
【図１９】図１９は、本発明の実施例である、メイン画面のスクリーンショットである。
【図２０】図２０は、本発明の実施例である、アカウント画面のスクリーンショットである。
【図２１】図２１は、本発明の実施例である、オプション画面のスクリーンショットである。
【図２２】図２２は、本発明の実施例である、患者記録画面のスクリーンショットである。
【図２３】図２３は、本発明の実施例である、患者カルテ画面のスクリーンショットである。
【図２４】図２４は、本発明の実施例である、歯の状態データ入力画面のスクリーンショットである。
【図２５】図２５は、本発明の実施例である、ポケットの深さ測定画面のスクリーンショットである。
【図２６】図２６は、本発明の実施例である、較正画面のスクリーンショットである。
【図２７】図２７は、本発明の実施例である、歯の履歴閲覧画面のスクリーンショットである。
【図２８】図２８は、本発明の実施例である、患者カルテ全体閲覧画面のスクリーンショットである。
【図２９】図２９は、本発明の実施例である、患者履歴選択画面のスクリーンショットである。
【図３０】図３０は、本発明の実施例である、ヘルプ画面のスクリーンショットである。
【図３１】図３１は、データ収集および分析を図解するフローチャートである。
【図３２】図３２は、データ入力オペレータオプションを図解するフローチャートである。
【図３３】図３３は、外部インターフェース配置の略図である。
【図３４】図３４は、本発明の実施例のハンドピースのヘッドおよび先端部の略図である。
【図３５】図３５は、超音波計測値に対する流速の影響を図解する描画である。
【図３６】図３６はメキシカンハットウェーブレットを図解する描画である。
【図３７】図３７はＭｏｒｌｅｔウェーブレットを図解する描画である。
【図３８】図３８は信号周波数に対するウェーブレット階級を図解する描画である。
【図３９】図３９はピーク判別を図解する描画である。
【図１】
2008534167.tif 000017
【図２】
2008534167.tif 000018
【図３】
2008534167.tif 000019
【図４】
2008534167.tif 000020
【図５】
2008534167.tif 000021
【図６】
2008534167.tif 000022
【図７】
2008534167.tif 000023
【図８】
2008534167.tif 000024
【図９】
2008534167.tif 000025
【図１０】
2008534167.tif 000026
【図１１】
2008534167.tif 000027
【図１２】
2008534167.tif 000028
【図１３】
2008534167.tif 000029
【図１４】
2008534167.tif 000030
【図１５】
2008534167.tif 000031
【図１６】
2008534167.tif 000032
【図１７】
2008534167.tif 000033
【図１８】
2008534167.tif 000034
【図１９】
2008534167.tif 000035
【図２０】
2008534167.tif 000036
【図２１】
2008534167.tif 000037
【図２２】
2008534167.tif 000038
【図２３】
2008534167.tif 000039
【図２４】
2008534167.tif 000040
【図２５】
2008534167.tif 000041
【図２６】
2008534167.tif 000042
【図２７】
2008534167.tif 000043
【図２８】
2008534167.tif 000044
【図２９】
2008534167.tif 000045
【図３０】
2008534167.tif 000046
【図３１】
2008534167.tif 000047
【図３２】
2008534167.tif 000048
【図３３】
2008534167.tif 000049
【図３４】
2008534167.tif 000050
【図３５】
2008534167.tif 000051
【図３６】
2008534167.tif 000052
【図３７】
2008534167.tif 000053
【図３８】
2008534167.tif 000054
【図３９】
2008534167.tif 000055
【国際調査報告】
2008534167.tif 000056